(57)【要約】  制御可能な照明ネットワーク間の照明スキーマを開発し実行し共有するためのシステム、ネットワーク、装置及び方法が開示される。この開示に従うネットワーク１０１、６０１、７０１、８０１、８０８は、ネットワークに対して開発された照明スキーマを遠隔データ格納部８０２に格納する。他のネットワーク３０１は、実行のために存在するスキーマを選択するため遠隔データ格納部にアクセスする。制御可能な照明ネットワーク間でユーザの好みを共有するためのシステム、ネットワーク、装置及び方法も開示されている。この開示に従うネットワークは、ネットワーク内のセンサによってユーザの存在を検出すると、ユーザの好みを決定するため、共有される遠隔データ格納部１１２にアクセスする。このようにして、個人照明ネットワークは、斯様な挙動、好み又は状況に自身を適合させるために既知のユーザの好み又は学習した挙動及び環境状況を利用する。
2012514829.tif 000002
【特許請求の範囲】
【請求項１】
複数のユーザに対応する個人好みデータであって、各ユーザに対する少なくとも一つの個人照明パラメータを含む複数のユーザの各々に対応する当該個人好みデータを格納する第１のメモリと、第１のメモリから離れた位置にあるネットワークとを有する照明管理システムであって、前記ネットワークは、制御可能な出力設定を持つ少なくとも一つの光源と、少なくとも一つの標準照明パラメータを含むスキーマを格納する第２のメモリと、現行ユーザのアイデンティティを検出するセンサシステムと、前記少なくとも一つの光源、第２のメモリ及び前記センサシステムと通信する実行モジュールとを有し、前記実行モジュールはコントローラを含み、前記実行モジュールは前記センサシステムから前記現行ユーザのアイデンティティを受けて、現行ユーザに対応する前記個人好みデータを決定するために第１のメモリと通信する、照明管理システム。
【請求項２】
前記実行モジュールは、現行ユーザの前記個人照明パラメータに適合するように前記スキーマを修正し、前記実行モジュールは、修正されたスキーマを、前記少なくとも一つの光源の出力設定を制御するための指示へ翻訳する、請求項１に記載の照明管理システム。
【請求項３】
前記実行モジュールは、前記少なくとも一つの光源の前記出力設定に従って前記修正されたスキーマを解釈することにより、前記修正されたスキーマを指示へ翻訳する、請求項２に記載の照明管理システム。
【請求項４】
前記実行モジュールは、前記修正されたスキーマを第２のメモリに格納する、請求項２に記載の照明管理システム。
【請求項５】
前記センサシステムは現行ユーザの不在を検出し、前記実行モジュールは、前記標準照明パラメータに適合するように前記修正されたスキーマを修正し、前記実行モジュールは、修正されたスキーマを第２のメモリに格納する、請求項１に記載の照明管理システム。
【請求項６】
前記センサシステムは追加ユーザのアイデンティティを検出し、前記実行モジュールは前記センサシステムからの追加ユーザの前記アイデンティティを受け、追加ユーザに対応する個人好みデータを決定するため第１のメモリと通信し、共有される個人照明パラメータを生成し、前記共有される個人照明パラメータに適合させるため前記スキーマを修正し、修正されたスキーマを前記少なくとも一つの光源の出力設定を制御するための指示へ翻訳する、請求項１に記載の照明管理システム。
【請求項７】
前記実行モジュールは現行ユーザの個人照明パラメータと追加ユーザの個人照明パラメータとを平均することにより、前記共有される個人照明パラメータを生成する、請求項６に記載の照明管理システム。
【請求項８】
前記実行モジュールは現行ユーザの個人照明パラメータ及び追加ユーザの個人照明パラメータの一つを選択することにより、前記共有される個人照明パラメータを生成する、請求項６に記載の照明管理システム。
【請求項９】
前記センサシステムは現行ユーザにより坦持される無線周波数識別カードを検出することにより現行ユーザのアイデンティティを検出する、請求項１に記載の照明管理システム。
【請求項１０】
前記センサシステムは現行ユーザに対応するバイオメトリックデータを検出することにより現行ユーザのアイデンティティを検出する、請求項１に記載の照明管理システム。
【請求項１１】
前記センサシステムは環境データ及び挙動データを検出し、前記実行モジュールは前記環境データ及び前記挙動データの少なくとも一つに従って前記スキーマを修正する、請求項１に記載の照明管理システム。
【請求項１２】
第２のメモリは複数のスキーマを格納し、前記実行モジュールは現行ユーザの個人好みデータに依存して前記複数のスキーマの一つを選択し、前記実行モジュールは選択されたスキーマを前記少なくとも一つの光源の出力設定を制御するための指示へ翻訳する、請求項１に記載の照明管理システム。
【請求項１３】
前記センサシステムは前記少なくとも一つの光源の動作エラーを示す光源出力データを検出し、前記実行モジュールは前記動作エラーを訂正するため訂正信号を前記少なくとも一つの光源に供給する、請求項１に記載の照明管理システム。
【請求項１４】
前記ネットワークは、更に、前記スキーマを生成するためのスキーマ生成器を有する、請求項１に記載の照明管理システム。
【請求項１５】
前記少なくとも一つの光源は、有線通信リンク、無線通信リンク、無線周波数通信リンク、及び光通信リンクの少なくとも一つを使用して互いに通信する複数の光源を含む、請求項１に記載の照明管理システム。
【請求項１６】
前記ネットワークは、更に、エージェントモジュールを有し、前記実行モジュールは前記エージェントモジュールとの通信を介して第２のメモリと通信する、請求項１に記載の照明管理システム。
【請求項１７】
システムパラメータを観察するためのセンサシステムと、ネットワークを介して前記センサシステムと通信する、制御可能な出力設定を持つ少なくとも一つの光源と、前記ネットワークを介して前記センサシステム及び前記少なくとも一つの光源と通信し、通信リンクを介して少なくとも一つのスキーマを格納する遠隔メモリと通信する実行モジュールとを有し、前記実行モジュールは、コントローラを含み、前記センサシステムからの観察されたシステムパラメータを受けて、前記観察されたシステムパラメータの少なくとも一つを示す情報を含むスキーマに対するリクエストを前記遠隔メモリに伝達し、遠隔データベースからスキーマを受けて、前記スキーマを前記少なくとも一つの光源の出力設定を制御するための指示へ変換する、照明管理システム。
【請求項１８】
前記少なくとも一つの光源は少なくとも一つの照明器具を含む、請求項１７に記載の照明管理システム。
【請求項１９】
前記観察されたシステムパラメータは、一人以上の人に関係し、一人以上の人の存在、一人以上の人のアイデンティティ、一人以上の人の位置、一人以上の人の存在時間、一人以上の人のジェスチャ、一人以上の人のアクション、一人以上の人の顔、一人以上の人により発される音の少なくとも一つを含む、請求項１７に記載の照明管理システム。
【請求項２０】
前記観察されたシステムパラメータは、前記少なくとも一つの光源からの出力、周囲の照明のレベル、昼日光の量、動き、温度、湿度レベル、天気及び雑音の少なくとも一つを含む、請求項１７に記載の照明管理システム。
【請求項２１】
前記実行モジュールは、前記少なくとも一つの光源内に位置されるか、又は有線通信リンク、無線通信リンク、無線周波数通信リンク、及び光通信リンクの少なくとも一つを使用して、互いと通信する複数の光源間に分配される、請求項１７に記載の照明管理システム。
【請求項２２】
前記実行モジュールは、メモリと、前記少なくとも一つの光源及び前記センサシステムの少なくとも一つとの通信を促進するための第１のインターフェースと、前記通信リンクを介して前記遠隔メモリとの通信を促進するための第２のインターフェースとを含む、請求項１７に記載の照明管理システム。
【請求項２３】
前記実行モジュールは、前記少なくとも一つの光源の前記出力設定に従って前記スキーマを解釈することにより前記スキーマを指示へ変換する、請求項１７に記載の照明管理システム。
【請求項２４】
コントローラを含む実行モジュールで、センサシステムから観察されたシステムパラメータを受けるステップと、前記観察されたシステムパラメータの少なくとも一つを示す情報を含む、スキーマに対するリクエストを、前記実行モジュールから離れた位置にあるデータ格納部へ伝達するステップと、前記実行モジュールで前記データ格納部からスキーマを受けるステップと、前記実行モジュールにより、前記スキーマを前記少なくとも一つの光源の出力設定を制御する指示へ変換するステップとを有する、照明管理システムを実行するための方法。
【請求項２５】
前記観察されたシステムパラメータを受けるステップは、現行ユーザのアイデンティティを受けるステップを有し、伝達される前記リクエストは現行ユーザのアイデンティティを示す情報を含み、受けた前記スキーマは現行ユーザの存在に従う照明パラメータを含む、請求項２４に記載の方法。
【請求項２６】
受けた前記スキーマをローカルメモリに格納するステップを更に有する、請求項２４に記載の方法。
【請求項２７】
前記変換するステップは、前記実行モジュールにより、前記少なくとも一つの光源の前記出力設定に従って、前記スキーマを解釈するステップを含む、請求項２４に記載の方法。
【請求項２８】
センサシステムから観察されたシステムパラメータを受けるためのセンサインターフェースと、制御パラメータを少なくとも一つの光源へ伝達するための光源インターフェースと、前記観察されたシステムパラメータの少なくとも一つを示す情報を含む、スキーマに対するリクエストを、遠隔スキーマ生成器へ伝達し、前記遠隔スキーマ生成器からスキーマを更に受けるためのスキーマ生成器インターフェースと、前記観察されたシステムパラメータ及び前記スキーマを格納するためのメモリと、前記スキーマを少なくとも一つの光源の出力設定を制御するための指示へ翻訳し、前記少なくとも一つの光源の前記出力設定に従って前記スキーマを解釈するためのコントローラとを有する、照明管理システムに使用される実行モジュール。
【請求項２９】
前記センサインターフェースは、追加で観察されたシステムパラメータを受け、前記プロセッサは、前記追加で観察されたシステムパラメータを補償するために前記スキーマを更に修正する、請求項２８に記載の実行モジュール。
【請求項３０】
複数のユーザに対応する個人好みデータを格納する第１のメモリであって、複数のユーザの各々に対応する前記個人好みデータは各ユーザに対する少なくとも一つの個人照明パラメータを含む第１のメモリと、第１のメモリから離れた位置にあるネットワークとを有する照明管理システムであって、前記ネットワークは、制御可能な出力設定を持つ少なくとも一つの光源と、現行ユーザのアイデンティティを検出するセンサシステムと、前記少なくとも一つの光源、第２のメモリ及び前記センサシステムと通信する実行モジュールとを有し、前記実行モジュールは、少なくとも一つの標準照明パラメータを格納する第２のメモリとコントローラとを含み、前記実行モジュールは、前記センサシステムから現行ユーザのアイデンティティを受け、現行ユーザに対応する個人好みデータを決定するため第１のメモリと通信し、現行ユーザの個人照明パラメータに適合させるため前記標準照明パラメータを修正し、前記実行モジュールは、前記個人照明パラメータを前記少なくとも一つの光源の前記出力設定を制御するための指示へ翻訳する、照明管理システム。
【請求項３１】
少なくとも一つのユーザ識別子を含む環境入力を受けるセンサシステムと、制御可能な出力設定を持つ少なくとも一つの光源と、ユーザ特定スキーマ、グループスキーマ、システム特定スキーマ、及び共有システムスキーマの一つ以上を含むスキーマを格納するスキーマデータ格納部であって、各格納されたスキーマが前記少なくとも一つの光源の前記出力設定を制御するための少なくとも一つの規則を含む前記スキーマデータ格納部と、前記センサシステム及び前記スキーマデータ格納部と通信し、前記スキーマデータ格納部内のどのスキーマが前記環境入力の観点で適用可能であるかを決定し、前記少なくとも一つの光源の前記出力設定を制御するための適用可能な規則のセットを生成するスキーマ生成器と、前記少なくとも一つの光源及び前記スキーマ生成器と通信する実行モジュールとを有する照明管理システムであって、前記実行モジュールはコントローラを含み、前記実行モジュールは前記スキーマ生成器から適用可能な規則の前記セットを受け、前記適用可能な規則の前記セットの少なくとも一つの規則を前記少なくとも一つの光源の前記出力設定を制御するための指示へ翻訳する、照明管理システム。
【請求項３２】
前記スキーマデータ格納部は前記少なくとも一つの光源から離れた位置に位置する、請求項３１に記載の照明管理システム。
【請求項３３】
前記スキーマ生成器は前記スキーマデータ格納部内のどのスキーマが適用可能であるかを決定するため前記環境入力を継続して監視する、請求項３１に記載の照明管理システム。
【請求項３４】
前記スキーマ生成器は、適用可能なスキーマの規則の出力設定を平均化するか、又は適用可能なスキーマの規則の優先順位をつけることにより、前記適用可能な規則のセットを生成する、請求項３１に記載の照明管理システム。
【請求項３５】
前記適用可能な規則のセットが修正されたシステム特定スキーマを構成する、請求項３１に記載の照明管理システム。
【請求項３６】
前記少なくとも一つの光源が、有線通信リンク、無線通信リンク、無線周波数通信リンク、及び光通信リンクの少なくとも一つを使用して互いに通信する複数の光源を含む、請求項３１に記載の照明管理システム。
【請求項３７】
前記実行モジュールが、前記少なくとも一つの光源の前記出力設定に従って前記少なくとも一つの規則を解釈することにより、前記少なくとも一つの規則を指示へ翻訳する、請求項３１に記載の照明管理システム。
【請求項３８】
少なくとも一つのユーザ識別子を含む環境入力を受けるステップと、少なくとも一つの光源の出力設定を制御するための規則を含む少なくとも一つの適用可能なスキーマを前記環境入力の観点で取り出すためのスキーマデータ格納部を評価するステップと、前記少なくとも一つの光源の前記出力設定を制御するための作業規則のセットを決定するため前記少なくとも一つの適用可能なスキーマ内の不整合規則を仲裁する仲裁ステップと、前記作業規則を、前記少なくとも一つの光源の前記出力設定を制御するための指示へ翻訳するステップとを有する、照明管理システムを実行するための方法。
【請求項３９】
前記スキーマデータ格納部は、前記少なくとも一つの光源から離れた位置に位置される、請求項３８に記載の方法。
【請求項４０】
どのスキーマが適用可能であるかを決定するため前記環境データを継続して監視するステップを更に有する、請求項３８に記載の方法。
【請求項４１】
前記仲裁ステップは、（ｉ）前記適用可能なスキーマの規則の前記出力設定を平均化するステップか、又は（ｉｉ）前記適用可能なスキーマの前記規則の優先順位をつけるステップを含む、請求項３８に記載の方法。
【請求項４２】
前記作業規則のセットが修正されたシステムスキーマを構成する、請求項３８に記載の方法。
【請求項４３】
現行ユーザのアイデンティティを示すセンサシステムから感知されたシステムパラメータを、コントローラを含む実行モジュールで受けるステップと、現行ユーザに対応するスキーマのための要求を、前記実行モジュールに離れた位置に位置されるデータ格納部へ伝達するステップと、前記データ格納部から現行ユーザに対応する前記スキーマを前記実行モジュールで受けるステップと、受けたスキーマを、少なくとも一つの照明器具の出力設定を制御するための指示へ変換する変換ステップとを有する、照明管理システムを実行するための方法。
【請求項４４】
前記受けたスキーマは、現行ユーザに対して、又は現行ユーザを含むユーザのグループに対して個人化される、請求項４３に記載の方法。
【請求項４５】
前記変換ステップは、前記少なくとも一つの照明器具の前記出力設定に従って前記受けたスキーマを解釈するステップを含む、請求項４３に記載の方法。
【請求項４６】
各スキーマが少なくとも一つの規則を含むスキーマを格納するメモリと、前記メモリから離れた位置のネットワークとを有し、前記ネットワークは、制御可能な出力設定を持つ少なくとも一つの光源と、現行ユーザのアイデンティティを検出するセンサシステムと、前記少なくとも一つの光源及び前記センサシステムと通信する実行モジュールとを有し、前記実行モジュールは、前記センサシステムから現行ユーザのアイデンティティを受け、現行ユーザと対応するスキーマを受けるため前記メモリと通信し、前記実行モジュールは、前記少なくとも一つの光源の前記出力設定を制御するための指示へ前記受けたスキーマを翻訳する、照明管理システム。
【請求項４７】
前記受けたスキーマは、現行ユーザに対して、又は現行ユーザを含むユーザのグループに対して個人化される、請求項４６に記載の照明管理システム。
【請求項４８】
前記実行モジュールは、前記少なくとも一つの光源の前記出力設定に従って前記受けたスキーマを解釈することにより前記受けたスキーマを翻訳する、請求項４６に記載の照明管理システム。
【発明の詳細な説明】
【技術分野】
【０００１】
本発明は、概して照明システム及びネットワークに向けられている。より詳しくは、本願に開示される様々な本発明の方法、システム及び装置は、制御可能な照明ネットワーク内で、スキーマを開発し、実行し、制御可能な照明ネットワーク間でスキーマを共有することに関する。
【背景技術】
【０００２】
デジタル照明技術、すなわち、ＬＥＤのような半導体光源に基づく照明は、伝統的な蛍光ランプ、ＨＩＤランプ及び白熱ランプの現実的な代替物を提供する。ＬＥＤの機能的利点及び利益は、高いエネルギ変換及び光特性、耐久性、低い動作コスト並びに他の多くの点を含む。ＬＥＤ技術の最近の進歩は、多くのアプリケーションで様々な照明効果を可能にする効率的で頑健なフルスペクトル光源を提供した。これらの光源を具現化する幾つかの器具は、例えば参照によりここに組み込まれる米国特許第６０１６０３８号及び第６２１１６２６号に詳細に説明されるように、様々な色及び色変化照明効果を生成するために、ＬＥＤの出力を独立して制御するためのプロセッサだけでなく、種々異なる色、例えば赤、緑、及び青を生成可能な一つ以上のＬＥＤを含む、照明モジュールを特徴づける。
【０００３】
重要なエネルギー節約を提供する一方、従業員に個人照明制御を供給することは、従業員の満足感を改善することを示した。ＬＥＤベースの照明システムのようなデジタル照明技術の最近の開発は、デジタル又は半導体照明の正確な制御をなし遂げている。結果的に、特定のイベントに反応するか又はユーザが前に入力した好みを実行するようにプログラムされている光ベースシステムが今日用いられている。
【０００４】
ユーザの観点から、照明制御を実行する開示されているシステム及び技術は、しばしば、前に入力した好みによるランプを調光する以上のものをほとんど提供しない。例えば、開示されているシステム及び技術では、特定の環境に対するユーザの照明の好みは、ビルの管理人によりプログラムされる。このとき、当該システムは、ユーザが好む照明アレンジメントを実行するために環境のライトを制御できる。このように、ワークスペースを明るく照らす又は代わりに減光することを好む従業員は、システムを管理人によりしかるべくプログラムさせることができる。同様に、管理人は、節電のためユーザの仕事スケジュールに従って「オン」及び「オフ」時間をスケジュールできる。
【０００５】
付加的な例として、１つの既知のシステムは、ＲＳ―４８５配線によるネットワークを介して中央コントローラと通信する、集積された占有センサ及び昼光センサを持つ直接−間接蛍光照明器具を特徴とする。このとき、中央コントローラは、ローカルエリアネットワーク（ＬＡＮ）を介してデスクトップコンピュータと通信する。このシステムは、従業員のワークステーション上で作業（直接）照明及び周囲（間接）照明を従業員が調光し、彼らのコンピュータ上にインストールされる個人照明制御ソフトウェアを使用して、作業及び周囲照明をオン／オフ可能にする。当該システムは、また、オフィスマネージャが、以下のことを可能にさせる：制御を個人の照明器具、グループ、エリア及び全体の照明ネットワークに割り当て、照明器具昼光センサを機能させたり機能させなかったりでき、照明器具占有センサを機能させたり、機能させなかったりでき、占有センサ遅延時間を特定し、作業及び周囲ランプ制御を独立して特定し、負荷制限を機能させたり、機能させなかったりでき、詳細なエネルギー消費レポートを生成でき、日々の、毎週の、毎月及び年次イベントをスケジュール可能にさせる。この意味で、このシステム及び同様の従来の製品は、ＨＶＡＣ及びセキュリティサブシステムを管理するビル管理システムの拡張版としてみなされる。
【０００６】
イベントの発生を検出すると、又は所定の時間シーケンスに従って、時には照明スクリプトと呼ばれる指示又は一組の指示を照明コントローラに実行させる照明システムが、開示されていた。例えば、１つの開示されたシステムは、時間とともに複数の照明器具の色及び強度の変化を特定することにより照明スクリプトを照明デザイナーが作成できるソフトウェアと、後の実行のため照明スクリプトを格納するメモリとを使用する。劇場及び娯楽会場のための照明コントローラは、照明デザイナーが、何百又は何千もの照明器具に対する時間シーケンスを記録し編集可能にする。例えば、スイッチ閉鎖、アナログ信号及びネットワーク指示のような外部のイベントに応答して、予め記録された照明スクリプトを実行する能力を含む照明システムも開示された。１つの開示されたシステムは、電子メールの受信、電話の受信又は警報の検出の際、光を起動又は調整する。他の開示されたシステムは、音声又は言葉認識を用いた照明を起動させ、更にまた、人のジェスチャの検出の際に、光パターンを実行する。斯様なシステムの照明コントローラは、２つのイベント又は条件が同時に起こる場合にだけ照明スクリプトを実行する論理機能のような、単純な論理機能又は条件を含む。例えば、近接スイッチがトリガーされ、フォトセンサが日没後であることを示す場合、照明スクリプトが実行される。しかしながら、照明デザイナーが手動で照明スクリプトを変えない限りこれらが記録された後は、照明スクリプトは変化しない。
【０００７】
人が特定の位置に対するその人の照明の好みを入力でき、中央コントローラがＬＥＤ又は他の光源を指示し、その人の好みを実行するための照明スクリプトを実行できる照明システムも開示された。１つの開示されたシステムでは、照明システムは、例えばネームバッジの磁気読み取り又は生体評価により、人の存在、人がいる期間を示しているか、又はその位置に特定の人若しくは人たちの存在を識別する入力を受信する。そのとき、開示されたシステムは、人が存在するか、どのくらいの時間人が存在するか、誰が存在するかに依存して、異なる照明スクリプトを実行する。これらのシステムは、また、部屋の中にいる人の数又は人々が向いている方向に依存して、異なる照明スクリプトを選択してもよい。１つの開示されたシステムでは、照明装置及び他のエネルギー源は、人の電子カレンダの情報に依存してオンオフされる。
【０００８】
幾つかの開示された照明システムは、ユーザにより持たれている装置から、人の存在又は人の好みに関する情報を受信できる。例えば、幾つかの開示されたシステムでは、カードリーダはユーザにより持たれているカードの存在を検出することができ、このとき、システムにより例えば、ユーザが部屋に入るとき点灯し、ユーザが部屋を出るとき消灯させる。他の開示された照明システムでは、ユーザの好みは、モバイル機器又はカードに保存される。ユーザが移動するにつれて、カードの自動検出を通じて、又は他のシステムではカードリーダにカードを挿入することにより、データは、制御の下、パラメータを、格納された好み（例えば、調光又は色を変える）に適合できる装置及びシステムに転送される。
【０００９】
しかしながら、ユーザの好みを実行するか又はイベントの発生の際に照明スクリプトを実行する様々な開示されたシステムでは、好み又はスクリプトは、（１）特定の位置に特有であって異なる位置で実行できないか、又は（２）異なる位置若しくは異なるネットワークで実行されるためにユーザにより坦持される必要がある。このように、ユーザがユーザの好みを保存している装置を持たない限り、ユーザの好みがプログラムされたシステム以外のシステムで、照明スクリプト又はユーザの好みを実行できるようにするシステムがない。
【００１０】
更にまた、特定の環境に対するユーザの好みを学習するため感知される環境パラメータ及びユーザの活動を監視できる照明システムが開示された。例えば、幾つかのシステムは、ユーザがその環境に対するユーザの好みを作るためにしばらくの間所与の環境の設定をどのように維持又は選択したかを監視できる。他の既知のシステムでは、特定の動作が検出されない限り、装置は照明スクリプトをフォローする。他のシステムは、ユーザが環境状況の所与のセットにどのように反応するかを監視でき、その環境の将来の実行に対する規則を構築できる。１つの開示された照明制御システムは、自治制御及びイベントベースの制御両方を持つ。このシステムは、ルールベースの規則がファジー入力又はイベントの発生に基づいてシステム出力を決定するファジー制御システムを実行するとして開示される。しかしながら、遠隔位置において、ユーザの好みを保持する装置をユーザが持っている以外、他のシステムにより学習される好みを利用するシステムが、現在全くない。
【発明の概要】
【発明が解決しようとする課題】
【００１１】
このように、既知のシステムに関連する欠陥がある。例えば、一般に、既知のシステムは、照明装置又は他の装置を制御するスタンドアローン、自己充足的なシステムに関係する。他の環境で実行されるユーザの好みのため、又は他の環境で実行される学習したパラメータのために、ユーザは、ユーザの好みを保存している装置を持ち歩かなければならない。このように、これらの開示されたシステムの１つの不利な点は、他のシステムで、個々の動作及びシステム動作を監視することにより学習した情報を含む学習したパラメータを共有できないことである。
【００１２】
よって、制御可能な照明ネットワーク、システム及びユーザ間で、システム及びユーザの好み、規則又はスキーマを組み込み、学習し、解釈でき、斯様な好み、規則又はスキーマを共有できるシステム、方法及び装置のための技術のニーズがある。
【００１３】
本開示は、制御可能な照明ネットワーク内でシステム、グループ及び／又はユーザの好み、規則又はスキーマを学習及び／又は適用するための進歩的方法及び装置に向けられている。斯様なシステム及び方法は、インタラクティブモディファイドイマージョン（ＩＭＩ）システム及び／又はネットワークと呼ばれる。本開示は、制御可能な照明ネットワークとシステムとの間に、斯様な好み及び規則又はスキーマを共有するための進歩的方法及び装置にも向けられている。
【課題を解決するための手段】
【００１４】
一般に、一つの態様では、本開示は、第１のメモリとネットワークとを有する照明管理システムに向いている。第１のメモリは、複数のユーザに対応する個人好みデータであって、各ユーザに対する少なくとも一つの個人照明パラメータを含む複数のユーザの各々に対応する当該個人好みデータを格納する。ネットワークは、第１のメモリから離れた位置にあって、前記ネットワークは、制御可能な出力設定を持つ少なくとも一つの光源と、少なくとも一つの標準照明パラメータを含むスキーマを格納する第２のメモリとを含む。前記ネットワークは、また、現行ユーザのアイデンティティを検出するセンサシステムと、前記少なくとも一つの光源、第２のメモリ及び前記センサシステムと通信する実行モジュールとを含む。前記実行モジュールは、コントローラを含み、前記センサシステムから前記現行ユーザのアイデンティティを受ける。前記実行モジュールは、現行ユーザに対応する前記個人好みデータを決定するために第１のメモリと通信する。
【００１５】
一つの実施例では、前記実行モジュールは、現行ユーザの前記個人照明パラメータに適合するように前記スキーマを修正し、前記実行モジュールは、修正されたスキーマを、前記少なくとも一つの光源の出力設定を制御するための指示へ翻訳する。この実施例の幾つかのバージョンでは、前記実行モジュールは、前記少なくとも一つの光源の前記出力設定に従って前記修正されたスキーマを解釈することにより、前記修正されたスキーマを指示へ翻訳する。この実施例の幾つかのバージョンでは、前記実行モジュールは、前記修正されたスキーマを第２のメモリに格納する。他の実施例では、前記センサシステムは現行ユーザの不在を検出し、前記実行モジュールは、前記標準照明パラメータに適合するように前記修正されたスキーマを修正し、前記実行モジュールは、修正されたスキーマを第２のメモリに格納する。
【００１６】
幾つかの実施例によると、前記センサシステムは、追加ユーザのアイデンティティを検出する。前記実行モジュールは、前記センサシステムからの追加ユーザの前記アイデンティティを受け、追加ユーザに対応する個人好みデータを決定するため第１のメモリと通信し、共有される個人照明パラメータを生成し、前記共有される個人照明パラメータに適合させるため前記スキーマを修正し、修正されたスキーマを前記少なくとも一つの光源の出力設定を制御するための指示に翻訳する。この実施例の幾つかのバージョンでは、前記実行モジュールは、現行ユーザの個人照明パラメータと追加ユーザの個人照明パラメータとを平均することにより、前記共有される個人照明パラメータを生成する。この実施例の他のバージョンでは、前記実行モジュールは現行ユーザの個人照明パラメータ及び追加ユーザの個人照明パラメータの一つを選択することにより、前記共有される個人照明パラメータを生成する。
【００１７】
前記センサシステムは、現行ユーザにより坦持される無線周波数識別カードを検出することにより現行ユーザのアイデンティティを検出する。他の実施例では、前記センサシステムは、現行ユーザに対応するバイオメトリックデータを検出することにより現行ユーザのアイデンティティを検出する。
【００１８】
幾つかの実施例では、前記センサシステムは、環境データ及び挙動データを検出し、前記実行モジュールは前記環境データ及び前記挙動データの少なくとも一つに従って前記スキーマを修正する。
【００１９】
他の実施例では、第２のメモリは複数のスキーマを格納し、前記実行モジュールは現行ユーザの個人好みデータに依存して前記複数のスキーマの一つを選択し、前記実行モジュールは選択されたスキーマを前記少なくとも一つの光源の出力設定を制御するための指示へ翻訳する。他の実施例では、前記センサシステムは前記少なくとも一つの光源の動作エラーを示す光源出力データを検出し、前記実行モジュールは前記動作エラーを訂正するため訂正信号を前記少なくとも一つの光源に供給する。
【００２０】
幾つかの実施例によると、前記ネットワークは、更に、前記スキーマを生成するためのスキーマ生成器を有する。他の実施例では、少なくとも一つの光源は、照明器具である。他の実施例では、前記少なくとも一つの光源は、有線通信リンク、無線通信リンク、無線周波数通信リンク、及び光通信リンクの少なくとも一つを使用して互いに通信する複数の光源を含む。幾つかの実施例では、少なくとも一つの光源は、少なくとも一つの照明光源及び少なくとも一つの輝度光源を含む。他の実施例では、前記ネットワークは、更に、エージェントモジュールを有し、前記実行モジュールは前記エージェントモジュールとの通信を介して第２のメモリと通信する。
【００２１】
他の態様では、本開示は、システムパラメータを観察するためのセンサシステムと、少なくとも一つの光源と、実行モジュールとを有する。少なくとも一つの光源は、ネットワークを介して前記センサシステムと通信し、少なくとも一つの光源は、制御可能な出力設定を持つ。前記実行モジュールは、前記ネットワークを介して前記センサシステム及び前記少なくとも一つの光源と通信し、通信リンクを介して少なくとも一つのスキーマを格納する遠隔メモリと通信する。前記実行モジュールは、コントローラを含み、前記センサシステムからの観察されたシステムパラメータを受けて、前記観察されたシステムパラメータの少なくとも一つを示す情報を含むスキーマに対するリクエストを前記遠隔メモリに伝達する。前記実行モジュールは、遠隔データベースからスキーマを受けて、前記スキーマを前記少なくとも一つの光源の出力設定を制御するための指示に変換する。
【００２２】
一つの実施例では、前記少なくとも一つの光源は少なくとも一つの照明器具を含む。他の実施例では、前記観察されたシステムパラメータは、一人以上の人に関係し、一人以上の人の存在、一人以上の人のアイデンティティ、一人以上の人の位置、一人以上の人の存在時間、一人以上の人のジェスチャ、一人以上の人のアクション、一人以上の人の顔、一人以上の人により発される音の少なくとも一つを含む。他の実施例では、前記観察されたシステムパラメータは、前記少なくとも一つの光源からの出力、周囲の照明のレベル、昼日光の量、動き、温度、湿度レベル、天気及び雑音の少なくとも一つを含む。
【００２３】
この態様の一つの実施例によると、前記実行モジュールは、前記少なくとも一つの光源内に位置される。追加の実施例では、前記実行モジュールは、複数の光源間に分配される。この実施例のバージョンでは、複数の光源は、有線通信リンク、無線通信リンク、無線周波数通信リンク、及び光通信リンクの少なくとも一つを使用して、互いと通信する。
【００２４】
他の実施例に従って、前記実行モジュールは、コントローラと、メモリと、前記少なくとも一つの光源及び前記センサシステムの少なくとも一つとの通信を促進するためのインターフェースと、前記通信リンクを介して遠隔メモリとの通信を促進するためのインターフェースとを含む。他の実施例では、通信リンクは、無線通信リンク及び有線通信リンクの１つである。
【００２５】
このシステムの幾つかの実施例では、前記実行モジュールは、前記少なくとも一つの光源の前記出力設定に従って前記スキーマを解釈することにより前記スキーマを指示へ変換する。
【００２６】
本開示の他の態様は、照明管理システムを実行するための方法に向けられている。当該方法は、コントローラを含む実行モジュールで、センサシステムから観察されたシステムパラメータを受けるステップを含む。当該方法は、また、前記観察されたシステムパラメータの少なくとも一つを示す情報を含むスキーマに対するリクエストを、前記実行モジュールから離れた位置にあるデータ格納部へ伝達するステップを含む。加えて、当該方法は、前記実行モジュールで前記データ格納部からスキーマを受けるステップと、前記実行モジュールにより、前記スキーマを前記少なくとも一つの光源の出力設定を制御する指示へ変換するステップとを含む。
【００２７】
この方法の幾つかの実施例では、前記観察されたシステムパラメータを受けるステップは、現行ユーザのアイデンティティを受けるステップを有し、伝達される前記リクエストは現行ユーザのアイデンティティを示す情報を含み、受けた前記スキーマは現行ユーザの存在に従う照明パラメータを含む。他の実施例では、当該方法は、受けた前記スキーマをローカルメモリに格納するステップを更に有する。他の実施例では、前記変換するステップは、前記実行モジュールにより、前記少なくとも一つの光源の前記出力設定に従って、前記スキーマを解釈するステップを含む。
【００２８】
別の態様では、本開示は、照明管理システムに使用される実行モジュールに向けられている。前記実行モジュールは、センサインターフェースと、光源インターフェースと、スキーマ生成器インターフェースと、メモリと、コントローラとを含む。前記センサインターフェースは、センサシステムから観察されたシステムパラメータを受ける。前記光源インターフェースは、制御パラメータを少なくとも一つの光源へ伝達する。前記スキーマ生成器インターフェースは、前記観察されたシステムパラメータの少なくとも一つを示す情報を含む、スキーマに対するリクエストを、遠隔スキーマ生成器へ伝達する。前記スキーマ生成器インターフェースは、また、前記遠隔スキーマ生成器からスキーマを更に受ける。前記メモリは、前記観察されたシステムパラメータ及び前記スキーマを格納する。前記コントローラは、少なくとも一つの光源の出力設定を制御するための指示へ前記スキーマを翻訳する。
【００２９】
一つの実施例では、前記センサインターフェースは、追加で観察されたシステムパラメータを受け、前記プロセッサは、前記追加で観察されたシステムパラメータを補償するために前記スキーマを更に修正する。他の実施例では、コントローラは、少なくとも一つの光源の出力設定に従ってスキーマを更に解釈する。
【００３０】
更に他の態様では、本開示は、照明管理システムに向けられている。当該システムは、第１のメモリとネットワークとを含む。第１のメモリは、複数のユーザに対応する個人好みデータを格納し、複数のユーザの各々に対応する前記個人好みデータは各ユーザに対する少なくとも一つの個人照明パラメータを含む。前記ネットワークは、第１のメモリから離れた位置にあり、制御可能な出力設定を持つ少なくとも一つの光源を有する。前記ネットワークは、また、現行ユーザのアイデンティティを検出するセンサシステムと、前記少なくとも一つの光源、第２のメモリ及び前記センサシステムと通信する実行モジュールとを有する。前記実行モジュールは、少なくとも一つの標準照明パラメータを格納する第２のメモリとコントローラとを含む。前記実行モジュールは、前記センサシステムから現行ユーザのアイデンティティを受け、現行ユーザに対応する個人好みデータを決定するため第１のメモリと通信し、現行ユーザの個人照明パラメータに適合させるため前記標準照明パラメータを修正する。前記実行モジュールは、前記少なくとも一つの光源の前記出力設定を制御するための指示へ前記個人照明パラメータを翻訳する。
【００３１】
本開示の他の態様は、照明管理システムを実行する方法である。当該方法は、コントローラを含む実行モジュールで、現行ユーザのアイデンティティを示すセンサシステムからの観察システムパラメータを受けるステップを含む。当該方法は、また、実行モジュールから離れた遠隔位置に位置するデータ格納部に現行ユーザに対応する個人照明好みデータの要求を送るステップを含む。当該方法は、また、実行モジュールで、データ格納部から現行ユーザに対応する個人照明好みデータを受けるステップと、受けた個人照明好みデータを少なくとも一つの照明器具の出力設定を制御するための指示に変換するステップとを含む。
【００３２】
別の態様においては、本開示は、少なくとも一つのユーザ識別子を含む環境入力を受けるセンサシステムを含む照明管理システムに向けられている。前記照明管理システムは、また、制御可能な出力設定を持つ少なくとも一つの光源と、ユーザ特定スキーマ、グループスキーマ、システム特定スキーマ、及び共有システムスキーマの一つ以上を含むスキーマを格納するスキーマデータ格納部とを含む。各格納されたスキーマが前記少なくとも一つの光源の前記出力設定を制御するための少なくとも一つの規則を含む。前記照明管理システムは、また、スキーマデータ格納部と、前記センサシステム及び前記スキーマデータ格納部と通信し、前記スキーマデータ格納部内のどのスキーマが前記環境入力の観点で適用可能であるかを決定し、前記少なくとも一つの光源の前記出力設定を制御するための適用可能な規則のセットを生成するスキーマ生成器とを含む。前記照明管理システムは、また、前記少なくとも一つの光源及び前記スキーマ生成器と通信する実行モジュールを含む。前記実行モジュールは、コントローラを含み、前記実行モジュールは、前記スキーマ生成器から適用可能な規則の前記セットを受け、前記適用可能な規則の前記セットの少なくとも一つの規則を前記少なくとも一つの光源の前記出力設定を制御するための指示へ翻訳する。
【００３３】
幾つかの実施例では、前記スキーマデータ格納部は、前記少なくとも一つの光源から離れた位置に位置する。幾つかの実施例によると、前記スキーマ生成器は、前記スキーマデータ格納部内のどのスキーマが適用可能であるかを決定するため前記環境入力を継続して監視する。幾つかの実施例では、前記スキーマ生成器は、適用可能なスキーマの規則の出力設定を平均化することにより、前記適用可能な規則のセットを生成する。幾つかの実施例では、スキーマ生成器は、適用できるスキーマの規則の優先順位をつけることにより、前記適用可能な規則のセットを生成する。
【００３４】
幾つかの実施例によると、前記適用可能な規則のセットが修正されたシステム特定スキーマを構成する。他の実施例では、前記少なくとも一つの光源が、有線通信リンク、無線通信リンク、無線周波数通信リンク、及び光通信リンクの少なくとも一つを使用して互いに通信する複数の光源を含む。他の実施例では、前記実行モジュールが、前記少なくとも一つの光源の前記出力設定に従って前記少なくとも一つの規則を解釈することにより、前記少なくとも一つの規則を指示へ翻訳する。
【００３５】
別の態様では、本開示は、照明管理システムを実行するための方法に向けられている。当該方法は、少なくとも一つのユーザ識別子を含む環境入力を受けるステップと、少なくとも一つの光源の出力設定を制御するための規則を含む少なくとも一つの適用可能なスキーマを前記環境入力の観点で取り出すためのスキーマデータ格納部を評価するステップとを含む。前記方法は、また、前記少なくとも一つの光源の前記出力設定を制御するための作業規則のセットを決定するため前記少なくとも一つの適用可能なスキーマ内の不整合規則を仲裁する仲裁ステップと、前記作業規則を、前記少なくとも一つの光源の前記出力設定を制御するための指示へ翻訳するステップとを有する。
【００３６】
幾つかの実施例によると、前記スキーマデータ格納部は、前記少なくとも一つの光源から離れた位置に位置される。幾つかの実施例では、どのスキーマが適用可能であるかを決定するため前記環境データを継続して監視するステップを更に有する。幾つかの実施例では、前記仲裁ステップは、前記適用可能なスキーマの規則の前記出力設定を平均化するステップか、又は前記適用可能なスキーマの前記規則の優先順位をつけるステップを含む。
【００３７】
この方法の幾つかの実施例によると、前記作業規則のセットが修正されたシステムスキーマを構成する。他の実施例では、翻訳するステップは、少なくとも一つの光源の出力設定に従って働く規則を解釈するステップを含む。
【００３８】
更に他の態様では、本開示は、照明管理システムを実行するための方法に向けられている。当該方法は、現行ユーザのアイデンティティを示すセンサシステムから感知されたシステムパラメータを、コントローラを含む実行モジュールで受けるステップと、現行ユーザに対応するスキーマのための要求を、前記実行モジュールに離れた位置に位置されるデータ格納部へ伝達するステップとを含む。当該方法は、また、前記データ格納部から現行ユーザに対応する前記スキーマを前記実行モジュールで受けるステップと、受けたスキーマを、少なくとも一つの照明器具の出力設定を制御するための指示へ変換する変換ステップとを有する。
【００３９】
幾つかの実施例では、前記受けたスキーマは、現行ユーザに対して、又は現行ユーザを含むユーザのグループに対して個人化される。他の実施例では、前記変換ステップは、前記少なくとも一つの照明器具の前記出力設定に従って前記受けたスキーマを解釈するステップを含む。
【００４０】
更に他の態様では、各スキーマが少なくとも一つの規則を含むスキーマを格納するメモリを含む照明管理システムに向けられている。当該システムは、また、前記メモリから離れた位置のネットワークを含む。前記ネットワークは、制御可能な出力設定を持つ少なくとも一つの光源と現行ユーザのアイデンティティを検出するセンサシステムと実行モジュールとを含む。前記実行モジュールは、前記少なくとも一つの光源及び前記センサシステムと通信する。前記実行モジュールは、前記センサシステムから現行ユーザのアイデンティティを受け、現行ユーザと対応するスキーマを受けるため前記メモリと通信し、前記少なくとも一つの光源の前記出力設定を制御するための指示へ前記受けたスキーマを翻訳する。
【００４１】
幾つかの実施例では、前記受けたスキーマは、現行ユーザに対して個人化される。他の実施例では、前記受けたスキーマは、現行ユーザを含むユーザのグループに対して個人化される。他の実施例では、前記実行モジュールは、前記少なくとも一つの光源の前記出力設定に従って前記受けたスキーマを解釈することにより前記受けたスキーマを翻訳する。
【００４２】
以下に、より詳細に説明される前述の概念及び付加的な概念の全ての組合せ（ただし、斯様な概念は排他的でない）は、本願明細書において開示される発明の対象の一部であると考察されることが理解されるべきである。特に、本開示の最後に現れる請求項の全ての組み合わせは、本願明細書において開示された進歩的対象の一部であると意図される。参照により組み込まれる何れかの開示において現れる本願明細書において明確に使用される用語は、本願にて開示される特定の概念と最も一貫する意味が与えられることも理解されるべきである。
【００４３】
図において、類似の参照符号は、異なる図を通じて同一の部品を概して指す。また、図は必ずしも縮尺通りではなく、代わりに本発明の原理を例示することを重視するように強調している。
【図面の簡単な説明】
【００４４】
【図１】図１は、ユーザの好みデータ、規則及び／又はスキーマが遠隔のデータベースに格納されている本発明の実施例による例示的なインタラクティブモディファイドイマージョン（ＩＭＩ）システムのブロック線図を例示する。
【図２】図２は、スキーマが使用される本発明の実施例による照明ネットワークのブロック線図を例示する。
【図３】図３は、ユーザ規則又はユーザの好みデータが照明ネットワーク間で共有できる本発明の実施例による例示的なＩＭＩシステムのブロック線図を例示する。
【図４】図４は、本発明の幾つかの実施例による例示的な個人識別子のブロック線図を例示する。
【図５】図５は、本発明の幾つかの実施例による例示的な実行モジュールのブロック線図を例示する。
【図６】図６は、スキーマが使用される本発明の実施例による例示的な照明ネットワークのブロック線図を例示する。
【図７】図７は、スキーマが使用されユーザ規則又は好みデータが共有できる本発明の実施例による例示的なＩＭＩシステムのブロック線図を例示する。
【図８Ａ】図８Ａは、スキーマ及び好みデータが共有できる本発明の実施例による例示的なＩＭＩシステムのブロック線図を例示する。
【図８Ｂ】図８Ｂは、スキーマ及び好みデータが共有でき、エージェントが遠隔リソースと通信するために使用される本発明の実施例による例示的なＩＭＩシステムのブロック線図を例示する。
【図９Ａ】図９Ａは、実行モジュールが光源の一部である本発明の実施例による例示的なＩＭＩシステム用の光源のブロック線図を例示する。
【図９Ｂ】図９Ｂは、実行モジュールが光源の間に分配される本発明の実施例による例示的なＩＭＩシステム用の光源のブロック線図を例示する。
【図９Ｃ】図９Ｃは、各光源が実行モジュールを含む本発明の実施例による例示的なＩＭＩシステム用の光源のブロック線図を例示する。
【図９Ｄ】図９Ｄは、光源が光学的に通信する本発明の実施例による例示的なＩＭＩシステム用の光源のブロック線図を例示する。
【図９Ｅ】図９Ｅは、光源が様々なプロトコルを使用して通信する本発明の実施例による例示的なＩＭＩシステム用の光源のブロック線図を例示する。
【図１０】図１０は、本発明の実施例による照明ネットワークレイアウトのブロック線図を例示する。
【図１１】図１１は、本発明の幾つかの実施例によるシステムスキーマの変更を図示するフローチャートである。
【図１２】図１２は、複数のユーザに対する好み又はスキーマが考慮される本発明の幾つかの実施例による遠隔データベースからのユーザの好み又はスキーマの実行を図示するフローチャートである。
【図１３】図１３は、本発明の幾つかの実施例による遠隔データベースからのユーザの好み又はスキーマの実行を図示するフローチャートである。
【発明を実施するための形態】
【００４５】
ここで、添付の図面に示される本発明の例を参照して、本発明の実施例が詳細に説明される。
【００４６】
環境を知っているインタラクティブな照明ネットワークに関する特定の実行を含む、本技術及び関係する発明の概念の様々な実行が、これ以降説明される。斯様なネットワークは、アプリケーションの中でもとりわけ、バー、レストラン、スタジアム、展示センター、博物館、ショップ、ショッピングセンタ、ナイトクラブ、ダンスホール、公共輸送機関、待合い所、移動スペース、空港の知的な照明に特に適している。しかしながら、本開示は実行の何れの特定の態様に限定されず、ここで明確に説明される様々な実施例が主に説明のためであることは、理解されるべきである。
【００４７】
ここで開示される技術は、互いに独立して操作され、個人照明好みを規定する共通のデータへのアクセスを持つ照明ネットワークに関する。これらのネットワークにより生成される照明及び／又は輝度は、ユーザ、ユーザのグループ、システム又は一組のシステムに特有のセンサ及び光源の操作の一つ以上の規則である照明スキーマにより制御される。本発明によるシステムは、好み、規則及びスキーマを知的に学習し、これらを照明ネットワーク間で共有する。
【００４８】
一般に、以前の照明制御システムは、スタンドアローン、自己充足的なシステムであった。他の環境で実行されるユーザの好みのために、又は、他の環境で実行される学習したパラメータのために、ユーザは、ユーザの好みを保存している装置を持つ必要があった。以前のシステム及びネットワークは、個々の動作及びシステム動作を監視することにより学習される情報を含む学習したパラメータを、他のシステム及びネットワークと効率的に共有することもできない。
【００４９】
出願人は、照明制御システム及び制御方法を実行する照明ネットワーク間で、好みデータに基づいて、スキーマを共有可能にすることが有益であると認識し、理解した。従って、本発明の態様は、照明ネットワーク間又は照明ネットワークの領域間のスキーマ又は規則を共有することに向けられている。このとき、これらの態様を適用する個々の照明ネットワークは、これらをより効率的に挙動、好み又は条件に適応させるため、以前確認されたスキーマ又は以前確認された規則を利用してもよい。斯様なシステム及び方法は、インタラクティブモディファイドイマージョン（ＩＭＩ）システム及び／又はネットワークと呼ばれる。個々のＩＭＩシステムは、また、システムの構成、コンポーネント及び機能に従ってスキーマ又は規則を解釈する。
【００５０】
図１は、ユーザの好みデータ、規則及び／又はスキーマが好みデータ格納部１１２に格納される本発明の実施例による例示的なＩＭＩシステム１００のブロック線図を例示する。図１を参照して、一つの実施例では、ＩＭＩシステムは、照明システム１０２、センサシステム１０４及び実行モジュール１０６を含む例示的な照明ネットワーク１０１を含む。本願で使用される用語「ネットワーク」は、２台以上の装置間及び／又は複数の結合する装置間の情報（例えば装置制御、データ格納、データ交換等のため）の転送を容易にする２台以上の装置（コントローラ又はプロセッサを含む）の任意の相互接続をいう。容易に理解されるべきであるが、複数の装置を相互接続するのに適しているネットワークの様々な実行は、様々なネットワークトポロジの何れを含んでもよく、様々な通信プロトコルの何れを使用してもよい。加えて、本開示による様々なネットワークでは、２台の装置間の任意の一つの接続は、２つのシステムとの間の専用接続、又は代わりに非専用接続を表してもよい。２台の装置を目的として情報を運ぶことに加えて、斯様な非専用接続は、２台の装置の何れかを必ずしも意図するのではない情報を運んでもよい（例えば、開いたネットワーク接続）。更にまた、本願で説明されるような装置の様々なネットワークが、照明ネットワーク１０１の全体にわたって情報転送を容易にするため一つ以上の無線、ワイヤ／ケーブル及び／又はファイバー光リンクを使用してもよいことは、容易に理解されるべきである。
【００５１】
照明システム１０２は、照明、輝度又は照明及び輝度の組合せの一つ以上を供給するためのシステムを含む空間の環境に影響を及ぼす任意のシステムでよい。一つの実施例では、照明システム１０２は、限定するわけではないが、香り、加熱、ベンチレーション、冷却、テレビ、バックグラウンドミュージック及び／又は音の一つ以上を供給するためのシステムを含む、空間の環境に影響を及ぼすシステムを更に含む。照明システム１０２は、照明ネットワーク１０１にわたる通信で、一つ以上のＬＥＤ又は照明器具のような一つ以上の光源を含む。一つの実施例では、照明システム１０２は、制御可能な出力設定を持つ少なくとも一つの光源を含む。例えば、照明システム１０２は、照明分布パターンをレンダリングするように構成される照明器具又はその測光出力を変化させるように構成される照明器具を含む。照明システム内の一つ以上の光源は、断続スイッチ又は調光器のような一つ以上の手動制御を持ってもよい。ユーザによるこれらの手動制御の任意の調整及び斯様な任意の調整のための状況は、実行モジュール１０６により監視され、照明ネットワーク１０１のカバーエリア内のユーザの好み及びパターンを学習するための入力として使われる。
【００５２】
用語「光源」は、これに限定されないが、ＬＥＤベースの源（上述のように規定されるような一つ以上のＬＥＤを含む）、白熱源（例えば、フィラメントランプ、ハロゲンランプ）、蛍光源、燐光源、高輝度放電源（例えば、ナトリウム蒸気、水銀蒸気及び金属ハロゲンランプ）、レーザー、エレクトロルミネッセンス源の他のタイプ、焦電発光源（例えば、フレーム）、キャンドル発光源（例えば、ガスマントル、カーボンアーク放射線源）、フォトルミネッセンス源（例えば、ガス放電源）、電子飽和を使用するカソード発光源、ガルバーノ発光源、結晶発光源、運動による発光源、熱的発光源、摩擦発光源、音発光源、放射線発光源、及び発光ポリマーを含む一つ以上の様々な放射線源を指すと理解されるべきである。
【００５３】
所与の光源は、可視スペクトル内で、可視スペクトル外で、又は可視スペクトル内外両方の電磁放射を生成するように構成される。所与の光源は、可視スペクトルの内側、可視スペクトルの外側又は両方の範囲内の電磁放射を生成するように構成される。したがって、用語「光」及び「放射線」は、本願明細書において取り換え可能に用いられる。加えて、光源は、一体型の要素として、一つ以上のフィルタ（例えば、カラーフィルタ）、レンズ又は他の光学部品を含んでもよい。また、光源は、指標、ディスプレイ及び／又は照明を含むがこれに限らず、様々なアプリケーションのために構成されることは理解されるべきである。「照明光源」は、内部又は外側の空間を効果的に照明するのに充分な強度を持つ放射線を生成するように特に構成される光源である。この文脈において、「充分な強度」とは、周囲照明（すなわち、間接的に感知され、例えば、全体的にあるいは部分的に感知される前に様々な一つ以上の介在面反射されているかもしれない光）を提供するために、空間又は環境において生成される可視スペクトルの充分な放射パワーを指す（放射パワー又は「光束」に関して、単位「ルーメン」が、光源から全方向に出力される全ての光を表すためにしばしば使用される）。
【００５４】
「照明器具」という用語が、特定の形式要因、アセンブリ又はパッケージの一つ以上の照明ユニットの実施態様又は装置を指すように本願明細書において用いられる。用語「照明ユニット」が、同じか又は異なるタイプの一つ以上の光源を含む装置を指すように本願明細書において用いられる。所与の照明ユニットは、光源に対する多様な取り付け装置、エンクロージャ／ハウジング装置及び形状、並びに／又は電気的及び機械的接続構成の何れかの一つを持ってもよい。加えて、所与の照明ユニットは、光源の動作に関係する様々な他の部品（例えば、制御回路）とオプションで関係している（例えば、含む、結合する、及び／又は一緒にパックされる）。「ＬＥＤベースの照明ユニット」は、単独で、又は他のＬＥＤベースではない光源と組み合わせて、上記のような一つ以上のＬＥＤベースの光源を含む照明ユニットを指す。「マルチチャネル」照明ユニットとは、異なるスペクトルの放射線をそれぞれ生成するように構成された少なくとも２つの光源を含むＬＥＤベースの又はＬＥＤベースでない照明ユニットを指し、各異なる光源のスペクトルは、マルチチャネル照明ユニットの「チャネル」と呼ばれる。
【００５５】
照明ネットワーク１０１内の照明システム１０２の一部として使用できる多くの既知の知的な光源及び照明器具がある。一つの実施例では、照明システム１０２は、半導体光放射要素を有する照明器具を含む。任意の斯様な照明器具は、その構成波長の一つ以上に対して個別に制御可能な照明レベルを持つので、広範囲にわたる色、輝度レベル及び色温度が作られる。例えば、ＬＥＤ照明器具は、赤、緑及び青のＬＥＤを含むことができる。蛍光又は白熱照明のような他のタイプの照明も、ネットワークに組み込み得る。斯様な光源の幾つかの例は、フィリップス社から入手可能なＬｅｘｅｌ  ＬＥＤ  ＤＬＭシステム及びＣＯＬＯＲＢＬＡＳＴ/ｉＷ  Ｂｌａｓｔ照明器具である。
【００５６】
上述のように、用語「光放射要素」（ＬＥＥ）は、例えばデバイス間に電位差を付与するか又はデバイスに電流を流すことによって起動するとき、電磁スペクトル、例えば、可視領域、赤外線及び／若しくは紫外線領域の任意の領域又はこれら領域の組合せの放射線を放射する任意のデバイスを定めるために用いられる。従って、ＬＥＥは、モノクロ、準モノクロ、複数の色、又は広帯域スペクトル放射特徴を持つことができる。ＬＥＥの例は、当業者により容易に理解されるように、半導体、有機又はポリマー／ポリメリック発光ダイオード（ＬＥＤ）、青又はＵＶポンピングされる蛍光体で被覆されたＬＥＤ、光学的にポンピングされるナノクリスタルＬＥＤ、レーザーダイオード、又は他の同様のデバイスを含む。さらに、用語「ＬＥＥ」は、放射線を放射する特定のデバイス、例えばＬＥＤダイを定めるために用いられ、特定のデバイス又は特定の複数のデバイスが配されるハウジング又はパッケージと、放射線を放射する特定のデバイスとの組合せを定めるために等しく用いられる。
【００５７】
本開示のため本願明細書において使われるように、「ＬＥＤ」という用語は、電気信号に応じて放射線を生成できる任意の電子発光ダイオード又は他のタイプのキャリア注入／接合ベースのシステムを含むと理解されるべきである。よって、用語ＬＥＤは、電流に応答して光を放射する様々な半導体ベースの構造体、光放射ポリマー、有機発光ダイオード（ＯＬＥＤ）、電子発光細片などを含むが、これらに限定されるものではない。特に、用語ＬＥＤは、赤外線スペクトル、紫外線スペクトル及び可視スペクトル（一般に、ほぼ４００ナノメートルからほぼ７００ナノメートルまでの放射線波長を含む）の様々な部分の一つ以上の放射線を生成するように構成される全てのタイプ（半導体及び有機発光ダイオードを含む）のＬＥＤを指す。ＬＥＤの幾つかの例としては、限定はされないが、様々なタイプの赤外線ＬＥＤ、紫外線ＬＥＤ、赤色ＬＥＤ、青色ＬＥＤ、緑色ＬＥＤ、黄色ＬＥＤ、琥珀色ＬＥＤ、オレンジ色ＬＥＤ及び白色ＬＥＤを含む（更に以下で述べられる）。ＬＥＤは、所与のスペクトル（例えば、狭帯域幅、広帯域幅）に対する様々な帯域幅（例えば、最大値の半分での全幅、すなわちＦＷＨＭ）及び所与の一般的なカラー分類の範囲内の様々な主波長を持つ放射線を生成するために構成され及び／又は制御されてもよいことも理解されるべきである。
【００５８】
例えば、基本的に白い光（例えば、白色ＬＥＤ）を生成するように構成されたＬＥＤの１つの実施態様は、基本的に白色光を形成するために組み合わせて混合する異なるスペクトルのエレクトロルミネセンスをそれぞれ放射する多くのダイを含む。他の実施態様において、白色光ＬＥＤは、第１のスペクトルを持つエレクトロルミネセンスを、異なる第２のスペクトルに変換する蛍光体物質と関連してもよい。この実施の１つの例において、比較的短い波長及び狭帯域幅スペクトルを持つエレクトロルミネセンスは蛍光体物質を「ポンピング」し、次に、いくらかより幅広いスペクトルを持つ長めの波長の放射線を放射する。
【００５９】
用語ＬＥＤが、ＬＥＤの物理的及び／又は電気的パッケージタイプを制限するわけではないことも理解されるべきである。例えば、上記のように、ＬＥＤは、放射線の異なるスペクトルをそれぞれ放射するように構成された（例えば、個々に制御可能であるか又は制御可能でない）複数のダイを持つ単一の光放射デバイスを指してもよい。また、ＬＥＤは、ＬＥＤ（例えば、幾つかのタイプの白色ＬＥＤ）の不可分の一部としてみなされる蛍光体と関連してもよい。通常は、用語ＬＥＤは、パッケージされたＬＥＤ、パッケージされていないＬＥＤ、表面実装ＬＥＤ、チップオンボードＬＥＤ、Ｔ―パッケージマウントＬＥＤ、ラジアルパッケージＬＥＤ、パワーパッケージＬＥＤを指し、ＬＥＤは、幾つかのタイプの容器及び／又は光学要素（例えば、拡散レンズ）などを含む。
【００６０】
照明システム１０２はＤＡＬＩ、ＤＭＸ又はＺｉｇｂｅｅのような通信プロトコルを使用するか、又は他の照明若しくは装置制御プロトコルを使用して制御される。上述のように、照明ネットワーク１０１は、無線及び／又は有線接続で通信する。無線接続は、例えばブルートゥースのように無線周波数（ＲＦ）であるか、又は照明システム１０２の照明光出力に重畳される変調された光信号である。照明システム１０２は、スペースの照明を供給するか、輝度で建築的特徴を供給するか、又はこれら２つの組合せを供給するために設計される。
【００６１】
一つの実施例では、照明システム１０２は、照明ネットワーク１０１を通じてセンサシステム１０４に接続される。センサシステム１０４は、例えば、人々に関係するパラメータ、挙動パラメータ又はデータ、照明システム１０２に対するフィードバックパラメータ又はデータを含む一つ以上のシステムパラメータを検出する。排他的なリストではないが、センサシステム１０４は、以下のパラメータの一つ又は任意の組合せを検出してもよい：一人以上の人の存在、一人以上の人のアイデンティティ、人の身体の血管パターンのような一人以上の人の物理的特性、一人以上の人の位置、一人以上の人の存在時間、一人以上の人のジェスチャ、一人以上の人の動作、一人以上の人の顔、一人以上の人により又は他の源から放射される音、少なくとも一つの光源からの出力、周囲照明のレベル、昼日光の量、動き、温度、湿度レベル、天気及びノイズ。センサシステム１０４は、例えば、以下の一つ以上を含む：温度計、湿度を計量する湿度計、対気速度を計量する風力計、雑音レベルを測定する測音器、照度を測定するルクスメーター、ＣＯ２又はＣＯ濃度のような特定の化学薬品の濃度を測定するガスプローブ、昼日光を検出する検出器、及び雨検出器のような外部天気センサ。
【００６２】
一つの実施例では、センサシステム１０４は、ユーザ１０８に対応する指紋データ又は虹彩データのようなバイオメトリック（生物測定）データを検出することによりユーザのアイデンティティを検出する。他の実施例では、センサシステムは、ユーザ１０８の顔の特徴を識別するために顔認証ソフトウェアを使用するビデオカメラを含む。更に他の実施例では、センサシステムは、ユーザ１０８により担持される個人識別子１１０を検出することにより、ユーザのアイデンティティを検出する。一つの実施例では、個人識別子は、無線自動識別（ＲＦＩＤ）カード、バーコードで装飾されるバッジ若しくは装置、又は携帯機器である。幾つかの実施例では、個人識別子は、ネットワークの一部ではなく、センサシステムにより検出可能である。幾つかの実施例では、個人識別子は、好みデータ、規則及び／又はユーザに対するスキーマを格納する。センサシステム１０４は、個人識別子１１０を担持していない、又は照明ネットワーク１０１により検出されるそれらの個人識別子の能力のスイッチを切った人の存在及び数も検出してもよい。
【００６３】
実行モジュール１０６、又は実行１０６は、照明システム１０２及びセンサシステム１０４と照明ネットワーク１０１を介して接続され、従って、実行モジュール１０６、センサシステム１０４及び照明システム１０２は、照明ネットワーク１０１の一部を形成すると言ってもよい。実行モジュール１０６は、本願で説明される様々な機能を実行する多くの態様で（例えば、専用ハードウエアで）実行される。一つの実施例では、実行モジュールは、本願で説明される様々な機能を実行するソフトウェア（例えば、マイクロコード）を使用してプログラムされる一つ以上のマイクロプロセッサを含む。他の例では、実行モジュールは、幾つかの機能を実施するための専用ハードウエアと他の機能を実施するためのコントローラ又はプロセッサとの組合せ（例えば、一つ以上のプログラムされたマイクロプロセッサ及び関連する回路）を含む。本開示の様々な実施例で使用される実行モジュール１０６コンポーネントの例は、制限されるわけではないが、従来のマイクロプロセッサ、特定用途向け集積回路（ＡＳＩＣ）及びフィールドプログラム可能なゲートアレイ（ＦＰＧＡ）を含む。
【００６４】
幾つかの実施例で実行モジュール１０６は、センサシステム１０４により検出される状況に応じて、スキーマに従って照明ネットワーク１０１の照明システム１０２内の一つ以上の光源を操作する。例えば、人々が照明ネットワーク１０１によりカバーされる空間にいないとき、実行モジュールはスキーマ内の第１の規則又は規則のグループを適用し、アイデンティティ不詳の人々が照明ネットワーク１０１の範囲内にいるとき、スキーマ内の第２の規則又は規則のグループを適用する。他の例では、実行モジュールは、照明ネットワーク１０１の範囲内で検出される個人識別子１１０に応じて、照明システム１０２内の一つ以上の光源を操作するため、第２のスキーマ内の第３の規則又は規則のグループを適用する。更に他の例では、照明システム１０２内の一つ以上の光源が経年変化しているか又は適切に機能していないことをセンサシステム１０４が感知するとき、実行モジュールは、機能していない光源の効果のなさを修正するための制御信号を不適当に機能している光源に送信できる。
【００６５】
実行モジュール１０６は、センサシステム１０４からの入力に応じて、照明システム１０２の操作を調整する。実行モジュールは、更に、スキーマを選択又は変更させるセンサシステムからの入力を受け、これによりユーザインタラクティブを供給する。以下に更に詳述される一つの実施例では、実行モジュール１０６は、スキーマ又はスキーマを構成する規則を実行し、更新する。
【００６６】
スキーマは、光源及びセンサの操作の一つ以上の規則のセットである。ここで使用されているように、規則は、満たされているとき、他の結果的情報の推理を可能にする先行する条件文を含んでもよい。このように、実行モジュール１０６は、推論エンジンを含むか又は構成するエキスパートシステムとしてみなされ、検出された状況又は決定された状況に基づいて情報を推定できる。斯様な規則のためのフォーマットは、以下の通りである：
ＩＦ＜先行する＞ＴＨＥＮ＜結果＞
先行する状況は、センサシステム１０４により供給される入力を介して決定される。実行モジュール１０６は、新しい事実又は結果的情報を推定するために、既存の事実又は状況を調べ、例えば：
ＩＦ＜雨検出器が０．０１オンスの降水量を検出する＞ＴＨＥＮ＜天気＝雨＞
結果的情報の推論は、ユーザ又はシステムの好みに従う他の状況を満足し、例えば：
ＩＦ＜天気＝雨＞ＴＨＥＮ＜背景色＝赤＞
ＩＦ＜背景色＝赤＞ＴＨＥＮ＜ハイライトカラー＝シアン＞
センサシステム１０４が、雨が降っていることを感知するとき、斯様な規則は、背景色を赤とし、ハイライトカラーをシアンとして設定するために照明システム１０２に指示を発するように実行モジュール１０６をトリガーする。
【００６７】
規則及び／又はスキーマは、複数のＩＭＩユーザが照明ネットワーク１０１に存在するとき設定されてもよい。例えば、一つの斯様な規則は、以下の通りである：
ＩＦ＜ユーザの数＞≧２  ＴＨＥＮ＜ユーザのハイライトカラーを平均する＞
【００６８】
複数の規則を適用し、適用可能な規則結果の実行が結果的情報と矛盾する結果となるとき、実行モジュール１０６は、どの規則を実行すべきかを決定するため、競合解消を実行する。特定の規則が、他の規則より高い優先順位を割り当てられてもよい。例えば、ＩＭＩユーザは自分自身のスキーマを持ち、ＩＭＩユーザのグループは共有スキーマを持ち、ＩＭＩシステムはそれ自身のスキーマを持つ。ＩＭＩユーザのグループ間で共有されるスキーマがユーザの個々のスキーマより優先順位があるように優先順位が割り当てられてもよいが、グループの複数のメンバーが照明システム１０１に存在するときだけ実行される。
【００６９】
当業者が理解するように、情報を推理する前に、複数の状況を必要とするか又は一つ若しくは幾つかの状況オプションの満足を必要とするような規則が構築でき、同様に、一つ以上の状況の満足の際に情報の複数の部分を推理するような規則が構築できる。例えば、例示的な規則を説明する：
ＩＦ＜グループメンバーの数＞≧３  又は＜グループリーダーが存在しない＞
ＴＨＥＮ＜ハイライトカラー＝ユーザのハイライトカラーを平均する＞
ＩＦ＜グループメンバーの数＞≧２  且つ＜背景色＝赤＞
ＴＨＥＮ＜何もしない＞
ＩＦ＜ユーザの数＞≧（＜グループメンバーの数＞＋５）
ＴＨＥＮ＜背景色＝赤＞  且つ＜ハイライトカラー＝ユーザハイライトカラーを平均する＞
【００７０】
照明規則及び／又はスキーマは、例えば実行モジュール１０６又はユーザインターフェースにより修正されてもよい。照明規則及び／又はスキーマは、順応性があり、よって、ユーザ、照明デザイナー又は外部処理装置からの更なる入力なしに実行モジュールにより修正される。本願で使用される用語「ユーザインターフェース」は、ユーザと装置との間の通信を可能にする一つ以上の装置とユーザ又はオペレータとの間のインターフェースをいう。本開示の様々な実行で使用されるユーザインターフェースの例は、制限されるわけではないが、スイッチ、ポテンショメータ、ボタン、ダイヤル、スライダ、マウス、キーボード、キーパッド、様々なタイプのゲームコントローラ（例えば、ジョイスティック）、トラックボール、ディスプレイ画面、様々なタイプのグラフィカルユーザインターフェース（ＧＵＩ）、タッチスクリーン、マイクロホン、及び幾つかの形式の人により生成された刺激を受けて、刺激に応じて信号を生成する他のタイプのセンサを含む。
【００７１】
照明スキーマは、状況の検出の際、照明スクリプトの実行を生じさせる。当業者は、規則が多数の他の態様で規定でき修正できることを理解するだろう。
【００７２】
照明システム１０２の一つ以上のコンポーネントは、一つ以上の光源に対するデフォルト挙動を規定するデフォルトの規則のセットでプログラムされている。これらのデフォルト規則は、照明デザイナーにより特定されるより高い優先順位で示される規則により優先されるか又は修正される。デフォルト規則は、その環境及びユーザについて学習してシステム自体が開発した規則により、修正されるか又は置き換えられてもよい。
【００７３】
ＩＭＩシステム１００自体は、スキーマデータ格納部又は他のＩＭＩシステムから発現又は得ているそれ自身のスキーマを持ってもよい。ＩＭＩシステムは、規則について時々超規則と呼ばれる規則により影響され、前記超規則は、規則の特定のクラスが優先順位を制限したかどうか又は特定の状況で承認されないかどうかを決定する。例えば、火災時の避難の間、優先されなければならないありとあらゆる規則を個々に特定するよりはむしろ、「通常の規則は、緊急の状況規則によって優先される」と言うことが、より容易である。当業者は、スキーマが、より高い優先順位のスキーマにより優先されるか又は修正され、超規則により支配されることを理解するだろう。
【００７４】
スキーマの総体的な規則は、実行モジュール１０６がどの規則が入れられるべきかを決定するために継続してアクセスできるルールベースを有する。一つの実施例では、ＩＭＩユーザがビル内を移動したりビル間を移動するとき、複数の実行モジュールが規則ベースにアクセスする。
【００７５】
システムが過去の経験及び現在の状況に従って規則及びスキーマを書き直し可能なとき、現在の状況を調べて、ユーザの好み及び履歴に関して適当である新規な規則を生成できるプログラムが生成される。これらのプログラムに固有の人工知能は、プログラムを単純な規則セットより非常に価値のあるものにする。
【００７６】
ＩＭＩシステム１００は、センサシステム１０４の複数でおそらく異種のセンサからの新情報を総合的に扱うように設計されている。例えば、占有センサからのデータは、個人識別子１１０を通じて以前識別された人がスペースに入ったことを占有センサで決定するために、ＲＦＩＤセンサからのデータと結合される。この例は、１人の人だけがビル内にいて、入力に応じてその人のアイデンティティが検出される場合である。ビル内の異なる場所に、アイデンティティを検出しない占有センサがあっても、実行モジュール１０６は、検出された占有者のアイデンティティを推定するためにセンサシステム１０４のセンサから信号の全体の整合性をチェックできる。他の例は、２人の人がビル内にいて、両方のアイデンティティがシステムにより検出されたときである。２人が異なる位置にいる場合、隣接したアイデンティティを検出しない占有センサからの信号は、占有者のアイデンティティを追跡して、よって好みを供給するために実行モジュールによりひと続きにできる。更に他の例は、グループから１人の人が、おそらく個人識別子１１０なしに、談話室から離れる場合である。この場合、その人が歩く速度、行く方向及び彼が調整する壁スイッチからその人のアイデンティティについて、システムは手掛かりを集めることができる。
【００７７】
照明ネットワーク１０１は、一つの実施例では照明ネットワーク１０１から離れた位置に位置する、好みデータ格納部又はメモリ１１２と通信する。一つの実施例では、好みデータ格納部１１２は、複数のユーザに対応する個人好みデータを格納し、複数のユーザの各々に対応する個人好みデータは、各ユーザの少なくとも一つの個人照明パラメータを含む。好みデータ格納部１１２に格納される個人好みデータは、ＩＭＩユーザの個人スキーマ、グループのスキーマ、及び／又はＩＭＩシステムのスキーマ内の一つ以上の規則としてエンコードされる。このように、好みデータ格納部１１２は、規則データベースであるとみなされる。
【００７８】
好みデータ格納部１１２は、データベース、レジスタ又は他のデータ蓄積要素である。好みデータ格納部１１２は、インターネットに接続されているサーバ内にあってもよく、複数の人々のための複数の好み及び／又は規則を格納する。一つの実施例では、照明ネットワーク１０１は、好みデータ格納部にアクセスできるが、制御できない。一つの実施例では、ユーザ１０８は、好みデータ格納部１１２へのアクセスを持ち、例えばユーザインターフェースによりユーザの個人照明パラメータを含むユーザの好みデータ及び／又は規則を変更できる。
【００７９】
例えば、ユーザ１０８は、インターネットを介して好みデータ格納部１１２にアクセスする。表１は、ユーザが入力でき、好みデータ格納部に格納される個人照明パラメータを含む例示的な個人好みデータをリストする。例示的個人照明パラメータは、限定されるものではないが、好ましい照明カラー、好ましい輝度レベル又は好ましいボリュームを含む。
2012514829.tif 000003
【００８０】
種々異なる実施例では、ユーザの好みデータは、単一のパラメータから多数のパラメータにわたる。例えば、幾つかの実施例では、ユーザの好みデータは、光の好適な輝度に関係する照明レベルから成るか、又は表１に示されるように、識別子（ＩＤ）により特定されるユーザをユーザの好みの照度（レベル）及びスペクトル、又は色と相関させ、ここで、好ましい色は１６進数でエンコードされ、最初の２ディジットは赤のレベルに対応し、第２の２ディジットは青のレベルに対応し、第３のペアの数字は緑のレベルに対応する。表１に示されるように、好みデータは、好みパラメータの実行の開始及び停止時間を含んでもよい。斯様な好みデータは、特定の状況若しくはシステム入力に対するシステムの反応又は出力を制御するユーザのための一組の規則であるとみなされる。実行モジュール１０６は、特定の状況にどのように反応するかを決定するための規則を利用できる。例えば、実行モジュール１０６がＩＤ２９８により特定されるユーザが照明ネットワーク１０１に入ったというセンサシステム１０４からの指標を受け取るとき、実行モジュール１０６は、ユーザ２９８が０６：００〜１７：００の時間の間はレベル７７でカラーＦＦ９９６６の照明を好み、１７：００〜２１：００の時間の間はレベル１００でカラーＥＥＥＥＦＦの照明を好むことを特定する規則にアクセスできる。
【００８１】
用語「スペクトル」は、一つ以上の光源により生じる放射線の任意の一つ以上の周波数（又は波長）を指すと理解されるべきである。よって、用語「スペクトル」は、可視範囲の周波数（又は波長）だけでなく、赤外線、紫外線及び全体の電磁スペクトルの他のエリアの周波数（又は波長）を指す。また、所与のスペクトルは、比較的狭い帯域幅を持ってもよいし（例えば基本的に少ない周波数又は波長成分を持つＦＷＨＭ）、又は比較的広い帯域幅（様々な相対強度を持つ幾つかの周波数又は波長成分）を持ってもよい。所与のスペクトルが２つ以上の他のスペクトルの混合の結果でもよいことも理解されるべきである（例えば、複数の光源からそれぞれ放射される放射線の混合）。
【００８２】
この開示のため、用語「カラー（色）」が、用語「スペクトル」と交換可能に使われる。しかしながら、用語「カラー（色）」は、主に観察者により知覚できる放射線の特性を指すために概して用いられる（この使用がこの用語の範囲を制限することを目的としないが）。よって、用語「異なる色」は、異なる波長成分及び／又は帯域幅を持つ複数のスペクトルを暗に指す。また、用語「カラー（色）」は、白色光及び白色でない光に関連して使われてよいことも理解されるべきである。
【００８３】
用語「色温度」は、白色光に関連して本願明細書で通常使われるが、この使用はこの用語の範囲を制限することを目的としない。色温度は、特定の色コンテンツ又は白色光の色合い（例えば、赤みがかった、青っぽい）を基本的に指す。所与の放射線サンプルの色温度は、問題の放射線サンプルと基本的に同じスペクトルを放射する黒体放射のケルヴィン（Ｋ）温度に従って従来特徴づけられている。黒体放射色温度は、ほぼ７００度Ｋ（通常は、人間の目に最初に見えるとみなされる）から１０，０００度Ｋを超えるまでの範囲内に概して入り、白色光は、１５００―２０００度Ｋより上の色温度で概して認められる。
【００８４】
低めの色温度は、より重要な赤い成分、すなわち「より暖かい感触」を持つ白色光を示し、一方、高めの色温度は、より重要な青い成分、すなわち「よりクールな感触」を持つ白色光を一般に示す。例証として、火はほぼ１，８００度Ｋの色温度を持ち、従来の白熱電球はほぼ２８４８度Ｋの色温度を持ち、早朝昼光は、ほぼ３，０００度Ｋの色温度を持ち、曇りの昼の空は、ほぼ１０，０００度Ｋの色温度を持つ。ほぼ３，０００度Ｋの色温度を持つ白色光の下で見られるカラー画像は、比較的赤みがかったトーンを持つ一方で、ほぼ１０，０００度Ｋの色温度を持つ白色光の下で見られる同じカラー画像は、比較的青っぽいトーンを持つ。
【００８５】
別表Ａは、ユーザが入力でき、好みデータ格納部１１２又は個人識別子１１０に格納され、ユーザの個人スキーマ内の一つ以上規則としてエンコードされる個人照明パラメータを含む例示的個人好みデータをリストする。別表Ａに示されるように、例示的個人好みデータは、光源以外の装置の環境制御に対する個人パラメータを含む。例えば、好みデータは、限定されるわけではないが、加熱、ベンチレーション、冷却、テレビ、バックグラウンドミュージック及び香りのような環境効果を供給する装置に対する好みを含む。好みデータは、以下の非排他的リストの一つ以上を含む：好ましい温度、好ましい昼日光のパーセント、窓の開閉に関する好み、内部温度が外部温度に追従するべき程度、好ましい匂い、公的又は私的な環境で音楽を演奏しているサウンドシステムの好ましい音声レベル、好ましい湿度、バックグラウンドミュージックの好ましいジャンル、ホテル、待合室又はバー用のプログラムの好ましいテレビチャネル又はタイプ、好ましい曲又はオーディオクリップのリスト、好ましい音楽家、歌手又はグループのリスト、好ましい言語、ＹｏｕＴｕｂｅ又は他のビデオプレイリスト、ＹｏｕＴｕｂｅ若しくは同様のビデオクリップ又は歌のテーマに関するキーワードのセット、好きなビデオクリップのリスト、好ましいラジオニュースキャスタのリスト、好き嫌いのリスト、興味がある製品又は興味がない製品。
【００８６】
好み及び／又は規則は、１日の特定の時間、会場の特定のタイプ、特定の会場又は通常の地理的な位置にリンクできる。これらは、特定のタイプの天気又は他の任意の検出パラメータにリンクできる。例えば、明るい明朗な音楽が雨の日には好ましいのに対し、任意の選択が晴れた日には許容できる。
【００８７】
別表Ａに示されるように、ユーザの好みデータは、環境の環境制御に関係するデータ以外のデータを含んでもよい。この情報は、様々な場所でのユーザの経験を促進するだろう。例えば、好まれる部屋のタイプが格納できるので、客がホテルに入るとき受付係が当該客の好みの部屋をネットワークにより知らされることを、ホテルに到着した客は知るだろう。斯様な好みは、自動化されたスケジューリングでのジム内の好ましいエクササイズマシーン、好ましい若しくは好きな食べ物又は食事、好きな飲物等を含んでもよい。ユーザの好みデータは、限定的ではないが、年齢、性別及び体重のような個人データも含む。一つの実施例では、データ格納部１１２に格納されるデータは、以下のカテゴリの一つ以上に入るとみなされる：特定の感情的値のない客観的なデータである登録データ、ユーザが楽しむ物事又は表現の好ましい態様である好み、実際の活動に関するデータである活動、ボディ及び精神の状態に関するデータであるバイオメトリック／身体的データ、及びユーザの能力に関するデータである能力データ。
【００８８】
ユーザの好みデータ、規則又は個人スキーマは、表１及び別表Ａにリストされたものより抽象的でもよい。例えば、特定の色若しくは輝度又はこれらの組合せよりも、好み、規則又はスキーマは、例えば以下の一つ以上として選択される：「明るい」、「活発な」、「微妙な」、「心地よい」、「カラフルな」、「ランダムな」、「経済」、「豪華な」、「驚くべき」、「風変わりな」、「自然な」等。好みとして上記の１つを規定するユーザの検出によりトリガーされる特定の色／輝度／タイミング反応及び／又は制約を規定することは、照明デザイナー次第であろう。これは、ユーザの好みを規定するユーザの要求されるデータ入力を単純化し、照明された空間で管理人又はデザイナーが、好みのオーナーにより（ある程度）特定される照明される空間よりもむしろ好み、規則又はスキーマを解釈できるようにする。異なる照明管理人又はデザイナーの働き及び解釈が呈されるように、好み、規則又はスキーマは時々変えられてもよい。
【００８９】
更に、個々のＩＭＩシステムは、システムの構成、コンポーネント及び機能に従ってスキーマ又は規則を解釈する。例えば、ユーザの好みがユーザの好きな色が赤及び黄色を示す場合、白色光源に含まれるＩＭＩシステムは、ユーザが「暖かい」色を好むと推測して、しかるべく色温度を調整する。
【００９０】
表１及び別表Ａは表に格納される例示的なユーザの好みデータを示しているが、ユーザの好みデータは、効率を改善し、プログラミングを容易にし、好みデータにアクセスするため、異なるフォーマットで格納されてもよい。一つの実施例では、好みデータは、関係するデータベース内で複数の表に分割できる。
【００９１】
ユーザの好みを設定するユーザは、時々特定のデスクライトをオンにするように設定してもよい。一つの実施例では、ユーザは、ゾーンに関するユーザの好みを設定し、当該ゾーンは、個人的物理的ゾーン（例えば、オーバーヘッド、目の高さ、下位レベル、床、前面及び背面ゾーン）であり、活動に基づいているか又は基づいてなく、時間に依存するか依存していなくてもよい。一つの実施例では、ユーザは、ユーザ１０８及び／又はユーザの個人識別子１１０から離れた既定の距離に位置される光源に影響する中程度の距離ゾーン及び遠いゾーンを規定できる。一つの実施例では、ユーザは、照明が部屋内のユーザの正確な位置に無関心であるルームゾーンを設定する。このとき、好みゾーンが、ネットワーク内に定められるゾーンへマッピングされ、好みに従って所望の照明を最も供給するアルゴリズムが用いられる。ユーザの好みに適合する照明設定を決定する逆問題を解決し、多くの解決策がある中で適当又は最適な解決策を見つけ、適当な解決策がない場合、充分であろう解決策を見つける、速い態様又は実時間の態様のためのアルゴリズムが使用できる。解決策が速く見つけられない場合、その後ゆっくり解決策が実行されてもよい。一つの実施例では、ＩＭＩシステム１００は、意図的にユーザの好みを徐々に実行することを選択する。ユーザの好みに合う照明設定の決定の際、状況の満足の際の照明設定を実行するための対応する規則がエンコードできる。
【００９２】
一つの実施例では、例えば手動制御を介して好みデータ格納部１１２内の好みを変える個人が検出されるとき、好み及び対応する任意のスキーマ又は規則は、データベースで自動的に更新でき、時間、頻度及び同様の要請のパターンを考慮して知的に更新でき、好みオーナーによる同意の下で格納でき、又は無視できる。幾つかの実施例では、個人の多くが、好みデータ格納部１１２内に好みデータを格納し、知的な更新が、他のユーザにより要求される類似の変更、又はおそらく他の同様のユーザの選択から引き出せる。大量のデータを検知し、データに知的に反応し、スキーマを更新し、実行し、ユーザの好みデータを組み込む能力のため、ＩＭＩシステム１００は、その環境を認識している。
【００９３】
図２は、スキーマが使用される本発明の一つの実施例による照明ネットワーク１０１のブロック線図を例示する。図２に示されるように、照明システム１０２、センサシステム１０４及び実行モジュール１０６に加えて、照明ネットワーク１０１は、ユーザの好み又はユーザスキーマを格納するためのローカルデータ格納部２０２を含む。これらのユーザの好み及び／又はスキーマは、ローカルデータ格納部２０２に格納される前に、好みデータ格納部１１２のような任意の記憶媒体からダウンロードされる。一つの実施例では、照明ネットワーク１０１は、スキーマデータ格納部２０６に格納された複数のスキーマ又はスキーマファイルを送るように構成されるスキーマ生成器２０４も含む。一つの実施例では、ローカルデータ格納部２０２の代わりに、又はそれに加えて、ユーザの好み及び／又はユーザスキーマは、スキーマ生成器２０４によりアクセスされるスキーマデータ格納部２０６内の記憶部２０８に格納される。
【００９４】
一つの実施例では、スキーマは、照明システム１０２は、何をすることができるか、センサシステム１０４からの特定の入力に対して、又はイベントの発生に際してどのように反応しなければならないか、その環境において動作する照明システム１０２をどのように適応させるべきかの制約のリストであるとみなし得る。例えば、スキーマは、実行モジュール１０６が、基本的な照明スクリプトを使用して動作し、適当なとき当該スクリプトから逸脱することを許容する。一つの実施例では、照明スキーマは、好みオーナーの存在及びアイデンティティが検出されるとき、個人好みを組み込むように修正できる規則のセットである。一般に、スキーマが、より少ない制約を供給すると、照明システム１０２、センサシステム１０４及び実行モジュール１０６がその環境で動作するために適応することが、より多くできる。照明ネットワーク１０１は、特定のイベント又はシナリオへの適切な応答を決定するために、照明システム１０２から、過去の出力及び過去のセンサデータを含む過去のイベントの情報を得続けている。その上、照明ネットワーク１０１は、センサシステム１０４を使用して状況を検出する。照明ネットワーク１０１の管理人は、照明ネットワーク１０１がどのスキーマを実行するかを特定する。
【００９５】
一つの実施例では、ＸＭＬのようなマークアップ言語又は同様の言語が、スキーマを作成するために使われる。スキーマを作成するために用いられる言語は、ユーザの好みを格納する好みデータ格納部１１２にアクセスするためのＳＱＬ指示を組み込む。当業者は、限定されるわけではないが、ＶｉｓｕａｌＢａｓｉｃ、Ｃ＋＋等のような他のプログラミング言語が、スキーマを作成するために用いられることは理解するだろう。
【００９６】
一つの実施例では、スキーマ生成器２０４は、どのスキーマが、現在アクティブで、アクセス及び実行するための実行モジュール１０６のための規則の作業用セットを組織するかを決定する。スキーマ生成器２０４は、どのＩＭＩユーザがスペース内にいるかの指標を受けることによりどのスキーマがアクティブであるかを決定する。スキーマ生成器２０４は、作業規則のセットを実行モジュール１０６のメモリにアップロードするために実行モジュール１０６と無線で接続する。当業者は、スキーマ生成器２０４が実行モジュール１０６と有線又は他の通信リンクを介しても接続できることを理解するだろう。一つの実施例では、スキーマ生成器２０４は、ハードウェアモジュールであり、他の実施例では、スキーマ生成器２０４は、実行可能プログラムである。代わりに又はスキーマ生成器２０４に加えて、照明ネットワーク１０１は、スキーマを格納するためのスキーマデータ格納部２０６を含む。スキーマデータ格納部２０６は、スキーマ生成器２０４と通信し、スキーマ生成器２０４は、スキーマデータ格納部２０６内で作成又は修正するスキーマを格納する。実行モジュール１０６は、またあるいは代わりに、インターネットを介してアクセスできる他のネットワーク又はサーバからのような他の遠隔ソースから、スキーマをダウンロード又は受けて、スキーマデータ格納部２０６にスキーマを格納する。スキーマデータ格納部２０６は、また、ユーザの個人的好みを組み込むため修正されたスキーマを格納する。加えて、スキーマデータ格納部２０６は、複数のスキーマを格納し、そこから実行モジュール１０６は、実行するスキーマを選択できる。実行モジュール１０６は、ユーザ１０８の個人的好みに依存して、又はセンサシステム１０４により観察される他のシステムパラメータに依存して、実行のための特定のスキーマを選択する。
【００９７】
実行モジュール１０６は、センサシステム１０４から受ける入力を仲裁し、ローカルデータ格納部２０２に格納されるユーザの好みデータを仲裁し、スキーマをスキーマデータ格納部２０６から選択するか又は択一的にスキーマ生成器から作業規則のセットを供給され、スキーマ及び／又は作業規則を照明システム１０２により実行可能にする制御指示へスキーマ又は作業規則のセットを翻訳する。
【００９８】
スキーマ生成器２０４は、照明デザイナー、管理人又は他の人が、照明器具のためのデフォルト照明及び照明ネットワーク１０１のための双方向挙動のような装置デフォルトを設定可能にする。例えば、スキーマは、装置（例えば、照明器具）出力が（例えば、色度、強度又は一連の異なる出力に関して）変化できる限界を規定できる。スキーマは、ユーザの好みと共に機能し、及び／又はユーザの好みを実行するために修正される。例えば、スキーマが装置出力が変化できる限界を規定する一方、ユーザが照明ネットワーク１０１のカバーエリアの中にいて、例えば、個人識別子１１０の検出により特定され、ユーザの好みが例えば好みデータ格納部１１２から、又は個人識別子１１０から検索されたとき、装置出力は、ユーザ１０８の好みに従ってスキーマにより設定される限界内で設定される。スキーマ生成器２０４は、実行モジュール１０６及び照明システム１０２が動作できる制約を規定し、及び／又は誤差を許容するために使用できる。
【００９９】
幾つかの実施例では、スキーマ生成器２０４は、ブルートゥース出力又は他の適切なプロトコルを備えるラップトップ、パームトップ、又は他のコンピュータである。スキーマ生成器は、一時的に又は永続的に照明ネットワーク１０１に接続される。一つの実施例では、スキーマ生成器２０４は、照明ネットワーク１０１から離れて位置される。本実施例では、スキーマ生成器は、インターネットを介して、又は電気通信網を介して照明ネットワーク１０１に接続されている。一つの実施例では、照明ネットワーク１０１は、一つ以上のスキーマ生成器２０２を含み、及び／又はインターネット若しくは電気通信網を介して一つ以上の遠隔スキーマ生成器とも通信する。
【０１００】
スキーマ生成器２０４及び／又はスキーマデータ格納器２０６は、例えば、スキーマに対応する好みデータを前に格納したユーザ１０８がそのスキーマを実行する照明ネットワーク１０１のカバーエリア内にいるとき、要求に応じて照明ネットワーク１０１にアップロードされる複数のスキーマを格納する。このように、スキーマ生成器２０４及び／又はスキーマデータ格納部２０６は、規則データベースであるとみなされる。
【０１０１】
一つの実施例では、スキーマ生成器２０４、スキーマデータ格納部２０６及び実行モジュール１０６の一つ以上は、同じ部品内に結合される。一つの実施例では、スキーマ生成器２０４及び実行モジュール１０６は、パーソナルコンピュータ内のソフトウェア、ハードウェア、ファームウェア又はこれらの組み合わせにある。スキーマ生成器２０４は、ポップアップユーティリティプログラムでもよい。一つの実施例では、スキーマ生成器２０４は、ＩＭＩシステム１００及び照明ネットワーク１０１の存在を特定するウェブブラウザプラグインであり、照明システム１０２を制御できると決定し、遠隔データベースに問い合わせることにより照明システム１０２と通信するための適切な通信プロトコルを決定し、照明システム１０２に対する制御を示すため、互換性を持つプログラミング言語のコードを動的に生成する。例えば、多くのコンピュータはＪａｖａ（登録商標）Ｓｃｒｉｐｔコードでプログラムできるセンサを持ち、照明システム１０２内の照明器具を検出した後、スキーマ生成器２０４は、照明システム１０２内の照明器具をユーザが制御するための調光制御を示すためＪａｖａ（登録商標）Ｓｃｒｉｐｔコードを生成する。上述のように、スキーマ生成器２０４は、インターネットを介してネットワーク１０１に接続される遠隔サーバ上に位置され、ブラウザは、それが現在の有線又は無線接続を通じて利用可能である何れの環境制御機会も容易に発見するようにプログラムされる。
【０１０２】
このように、一つの実施例では、スキーマ生成器２０４は、一つ以上の物理的ハードウエア装置であり、他の実施例では、スキーマ生成器２０４は一つ以上のソフトウェアプログラムである。更に他の実施例では、スキーマ生成器は、ワールドワイドウェブを通じて分散されるコンポーネントを持つユーザに利用可能であるサービスであるとみなし得る。スキーマを生成することに加えて、スキーマ生成器２０４は、ユーザの個人好みを設定するためにユーザ１０８により用いられる。
【０１０３】
一つの実施例では、スキーマ生成器２０４は、照明ネットワーク１０１又は照明システム１０２、例えば照度及び輝度システムから、照明ネットワーク１０１内の光源のタイプ及びレイアウトに関するデータを含むＣＡＤファイルを受ける。他の実施例では、光源のレイアウトはスキーマ生成器内で作成され、ＣＡＤファイルはビル建築家、照明デザイナー及び／又は装置インストーラに送られる。照明デザイナー又は他の人は、光源の操作のためのシナリオを生成する。例えば、照明デザイナーは、調光レベル、色度設定、及び時間で変化するか又は一定である照明ネットワーク１０１内の各光源に対するビーム角度の一つ以上の概要を記述するシナリオを生成する。スキーマが照明システム１０２に対するシナリオの組合せであるとみなされてもよいが、スキーマは照明システム１０２内の単一の光源に対するシナリオであってもよい。その上、照明システム１０２内の一つ以上の光源に対するシナリオは、複数の補助的なスキーマをそれ自身で有するスキーマにより支配されてもよい。
【０１０４】
異なるスキーマが、異なる条件又は既定のイベントに対して作成できる。例えば、特別なスキーマは、ホテルのロビーに有名人が入場の際、又はダウジョーンズ指標が特定の閾値より低く減少する場合作成される。一つの実施例では、スキーマは、意図される状況、例えば有名人の入場に対して作成されるスキーマに対する「有名人」、又はダウジョーンズ指標が下がったときのスキーマに対する「ダウジョーンズ＿下落」と好ましくは呼ばれる、意味がある語を使用することにより示され得る。関連するスキーマが実行モジュール１０６にダウンロードされ、スキーマデータ格納部２０６に格納されるとき、これらのスキーマ名はダウンロードされる。
【０１０５】
ＩＭＩシステムの１つの特徴は、インターネットを監視するセンサのようなセンサシステム１０４からの信号のスキーマ名と関連し得る語又は信号への変換である。例えば、センサシステム１０４は、ダウジョーンズ指標の値を監視し、「ダウジョーンズ＿下落」という意味がある語を実行モジュール１０６に送ることができる分析オプションを備えるインターネット検出モジュールを含む。意味がある語を受けると、実行モジュール１０６は、スキーマデータ格納部２０６に格納される「ダウジョーンズ＿下落」スキーマを実行し始める。
【０１０６】
同様の態様で、個人識別子１１０を検出するセンサは、受信器（例えばＷＬＡＮ又はＲＦＩＤ）、解釈ユニット、及び意味がある語を実行モジュールへ転送するユニットを含む。有名人の個人識別子からのＲＦＩＤ―信号を受けると、個人識別子を検出するためのセンサは、意味がある語「有名人」を実行モジュールへ転送し、実行モジュール１０６は、スキーマデータ格納部２０６に格納されるスキーマ「有名人」を実行し始める。他のスキーマが適用できる場合、実行モジュール１０６はスキーマ間を仲裁するか、及び／又はスキーマ生成器２０４は作業規則のセットを実行モジュール１０６に供給し、実行モジュール１０６は両方のスキーマを考慮に入れる。
【０１０７】
他の実施例では、センサシステム１０４は、レインセンサと、検出された雨を意味がある語「雨」に翻訳する拡張部とを含む。「雨」という意味がある語を受けると、実行モジュール１０６は、スキーマデータ格納部２０６から「雨」と呼ばれるスキーマを実行し、例えば、照明システム１０２の特定の光源をオン又はオフさせる。一つの実施例では、実行モジュールは、例えば、ネットワーク内に音声効果を供給する照明システム１０２内の他の装置も制御し、スキーマ「雨」を実行してこれらの装置によりネットワーク１０１内にシミュレーションされた雨音のような音を発させる。このように、窓を持たない部屋に位置される照明ネットワーク１０１の中の占有者は、外を雨が降っていることに気づき、占有者はシミュレーションされた雨経験を経験できる。
【０１０８】
図３は、ユーザ規則又はユーザの好みデータがネットワーク間で共有できる本発明の実施例による例示的なＩＭＩシステムのブロック線図を例示する。照明ネットワーク１０１及び照明ネットワーク３０１は、同じ又は異なるスキーマを実行してもよい。図３に示されるように、照明ネットワーク３０１は、照明システム３０２、センサシステム３０４及び実行モジュール３０６を含む。一つの実施例では、照明ネットワークは、同じ又は異なるビル内で、照明ネットワーク１０１、３０１のようなサブネットワークのセットを含む。例えば、オフィスの地理的に分散されたセットを持つ会社は、集中制御又は監視のために接続される照明ネットワークの各々を持つ。
【０１０９】
幾つかの実施例では、照明ネットワーク１０１及び照明ネットワーク３０１両方は、スキーマのための遠隔データ格納部の一部である好みデータ格納部１１２内のデータへのアクセスを持つ。このように、ユーザ１０８が照明ネットワーク３０１によりサービスされる位置に進むとき、実行モジュール３０６は、ユーザ１０８の照明好み及び／又は個人スキーマにアクセスするために好みデータ格納部１１２にアクセスする。これらの実施例では、ユーザ１０８はユーザの好みを好みデータ格納部１１２に入力でき、その後、複数のネットワークはユーザの好みを得るために好みデータ格納部１１２にアクセスする。例えば、ユーザ１０８は、好みデータ格納部１１２内にユーザの好み及び／又は個人スキーマを設定し、ユーザの個人照明パラメータを含むユーザの好みが考慮される照明ネットワーク１０１のカバーエリアに入ることができる。その後、ユーザ１０８は、ユーザの個人照明パラメータを含むユーザの好み及び／又はスキーマも考慮される照明ネットワーク３０１のカバーエリアに進む。このように、ユーザ１０８は、好みデータ及び／又は（照明）個人照明パラメータを一度入力する必要があるだけであり、特定のネットワークのカバーエリアに入る前に入力してもよい。よって、照明ネットワーク１０１及び照明ネットワーク３０１が異なるシステムスキーマを実行しているかどうかにかかわらず、ユーザの好み及び個人スキーマは各照明ネットワークで考慮される。幾つかの実施例では、選択されたネットワークだけが、ユーザ又はユーザの個人識別子を認識する。
【０１１０】
好みデータ格納部１１２に好みを格納することに加えて、幾つかの実施例では、ユーザは、照明好み及び／又はユーザの個人スキーマを個人識別子１１０に格納する。これらの実施例では、効果的にネットワークと対話する各ユーザは、自分自身のミニデータ格納部を持つ。ミニデータ格納部の収集は、データ格納部１１２のような離れて分散したデータベースと実効的に等しい。この実施例では、照明ネットワーク３０１は、個人識別子１１０からユーザの個人照明パラメータ及び／又はユーザの個人スキーマを含むユーザの好みデータを得る。他の実施例では、照明ネットワーク３０１は、照明ネットワーク１０１のようなユーザ１０８が訪問した前のネットワークから、ユーザの好みデータ又はスキーマを得る。
【０１１１】
図４は、本発明の幾つかの実施例による例示的な個人識別子１１０のブロック線図を例示する。一つの実施例では、個人識別子は、携帯電話、衛星電話、ＢｌａｃｋＢｅｒｒｙ（登録商標）、ｉＰｈｏｎｅ、パーソナル携帯情報機器（ＰＤＡ）、ポケットベル、ラップトップ、多機能電話又は通信するための能力及び処理パワーを持つ他の任意の電子回路装置のような移動電子通信装置である。図４に示されるように、個人識別子は、コントローラ、マイクロプロセッサ、又はプロセッサ４０２、位置認識回路４０４、インターフェース４０６、メモリ４０８、好みデータメモリ４１０及びＲＦＩＤタグ４１２を含む。ユーザ１０８のようなユーザは、ユーザインターフェースであるインターフェース４０６を介して、ユーザの照明好みのようなユーザの個人装置好みを入力できる。
【０１１２】
個人識別子１１０内の位置認識回路４０４は、全地球測位サービス（ＧＰＳ）回路である。位置認識回路４０４は、支援ＧＰＳを使用して、ＷｉＦｉ又は他のＲＦ信号から三角測量を行うか、個人識別子１１０内の位置が加速度計からの信号から計算されるか、又は、個人識別子１１０の位置はこれらの方法の組合せに基づいて決定される。
【０１１３】
幾つかの実施例では、好みデータ及び／又はユーザのスキーマは、メモリ４０８に格納され、必要に応じて、例えばユーザ１０８がＩＭＩシステム１００を持つ位置に入るとき、好みデータメモリ４１０にロードされる。ＲＦＩＤタグ４１２は、センサシステム１０４により検出でき、及び／又は要求されていないか若しくはネットワーク１０１に応じて識別信号を報知する。ＲＦＩＤタグ４１２は、好みデータメモリ内に格納されたスキーマ及び／又は好みデータにアクセスするため好みデータメモリ４１０と通信でき、ＲＦＩＤタグ４１２は、好みデータをネットワーク１０１に送信できる。幾つかの実施例では、個人識別子１１０がユーザによりオフにされるときでも、個人識別子１１０は、好みデータをネットワークに送信するように構成される。一つの実施例では、好みデータ４１０及び／又はメモリ４０８に格納される好みデータは、照明ネットワーク１０１により変更できない。
【０１１４】
ＲＦＩＤタグ４１２、又は代わりに個人識別子１１０は、ＨＶＡＣ制御及び（ローカルの電力会社から得られる）負荷制限情報のためビル管理システムと通信する集中化された（又は、おそらく分散された）データ及びイベントロギングシステムから成るＩＭＩシステムにそのデータを供給するセキュリティシステムにより管理される。ＩＭＩシステムは、照明システム１０２内の各光源と通信するが、直接は制御せず、各光源は自分自身のセンサ及び調光／切換制御を持つ。このとき、装置がセンサシステム１０４に応答するが、負荷制限が望ましいときイベントロギングシステムが優先されるので、各装置がどのように制御されるかの決定は、共有された責任になる。同様に、セキュリティシステムは、緊急事態の状況の間、他の全ての指示に優先する。
【０１１５】
幾つかの実施例では、ユーザは、特定の環境にだけの使用のための好み及び／又はスキーマを持つ。例えば、ユーザは就業日の間又はショッピングのとき何れの装置好みもないが、ナイトクラブを訪問するとき、照明好みのような好みを持つ。このユーザのために、個人識別子１１０が職場又はショッピングモールにあることを位置認識回路４０４が検出するとき、好みデータメモリ４１０がデータを保持しないように、個人識別子１１０はプログラムされる。個人識別子１１０がナイトクラブにあると位置認識回路４０４が決定するとき、その時、ＲＦＩＤタグ４１２にリンクされる好みデータメモリ４１０は人の照明好みデータを投入される。同様に、ユーザの好みがデータ格納部１１２に格納されるとき、データ格納部１１２は、ユーザ１０８が特定の環境に位置されるときに対する好みデータだけを含む。
【０１１６】
一つの実施例では、種々異なるネットワークが特定の好みパラメータにだけアクセスするように、ユーザの好みデータは種々異なる許可レベルに分離される。例えば、照明ネットワーク１０１は、ユーザ１０８の好みデータの特定の態様だけにアクセスするのを許容され、照明ネットワーク３０１は、ユーザ１０８の好みデータの全てにアクセスするのを許容される。別の例として、ユーザの照明好みは、色及び輝度を有する。より広い許容レベルは、例えば、ビジネス、ショッピング又は博物館の環境にいる人に対して適当である輝度データに与えられる。より狭い許容レベルは、ナイトクラブ、バー及びレストランだけがアクセスを持つカラー好みデータに適用される。データ格納部１１２に問い合わせる際、ネットワークはそれ自体及びそのタイプを識別し、データ格納部１１２は、そのネットワークによりアクセス可能である好みデータだけを供給する。
【０１１７】
図５は、本発明の幾つかの実施例による例示的な実行モジュール１０６のブロック線図を例示する。一つの実施例では、実行モジュール１０６は、コントローラ、マイクロプロセッサ又はプロセッサ５０２、メモリ５０４並びにインターフェース５０６Ａ、５０６Ｂ及び５０６Ｃを含む。一つの実施例では、メモリ５０４は、ユーザの好み、一つ以上のスキーマ、照明スクリプトによって、又はセンサシステム１０４により検出されたパラメータに応じて、照明システム１０２内の一つ以上の光源の出力を制御するため、コントローラ５０２が処理するためのコンピュータ可読の指示を保持する。例えば、実行モジュール１０６は、好みデータ格納部１１２に格納されるユーザ個人のスキーマのような、好みデータに従って光源の出力を制御する。一つの実施例では、実行モジュール１０６は、異なる入力、例えば、センサシステム１０４の様々なセンサからの異なる入力の間を仲裁する。他の実施例では、メモリ５０４は、デフォルトパラメータ、学習した挙動、ユーザの好み及び一つ以上のスキーマのうちの一つ以上のための一時的又は長期的記憶として役立つ。図５に示されるように、実行モジュール１０６は、３つのインターフェース、有線インターフェースとして示されるインターフェース５０６Ａ及び５０６Ｂと、無線インターフェースとして示されるインターフェース５０６Ｃとを持つ。
【０１１８】
実行モジュール１０６は、パーソナル又はラップトップコンピュータを介して実行できるか、又は独立型電子モジュールであり得る。一つの実施例では、実行モジュール１０６は、幾つかの装置間に分散される。
【０１１９】
図６は、スキーマが使用される本発明の実施例による例示的な照明ネットワーク６０１のブロック線図を例示する。図６に示されるように、照明システム１０２は、光源の電源のため電力ライン６０５に接続された一つ以上の光源６０３を含む。一つの実施例では、一つ以上の光源６０３は、個々のソーラーパネルを通じて、又は電池によってのように個別に電力を供給されてもよい。光源６０３は、ネットワーク制御ライン６０７にも接続され、実行モジュール６０６とインターフェース５０６Ｂを介して通信する。光源６０３は、光放射要素に電流を供給するのに適しているフォーマットに電力入力を変換するためのドライバを有する。センサシステム１０４は、ネットワーク制御ライン６１２及びインターフェース５０６Ａを介して、実行モジュール６０６に接続された一つ以上のセンサ６１０を含む。センサシステム６０４が、照明システム６０２とは別個のインターフェースを使用して示されているが、センサシステム６０４及び照明システム６０２は実行モジュール６０６とインターフェースを共有してもよい。更にまた、光源６０３及びセンサ６１０に対するネットワーク制御ライン６０７及び６１２が有線で示されているが、これらは無線でもよい。図６は、インターフェース５０６Ｃを介した無線通信リンクを介してスキーマ生成器２０４に接続される実行モジュール６０６を例示する。しかしながら、当業者は、有線の通信リンクのような他の通信リンクがスキーマ生成器２０４と通信するために使用できることを理解するだろう。
【０１２０】
図７は、スキーマが使用され共有できる本発明の実施例による例示的なＩＭＩシステム７００のブロック線図を例示する。図７に示されるように、ユーザ及び／又はシステムスキーマは、インターフェース７０４を介したインターネット７０２を介して実行モジュール７０６に接続されるサーバ又はデータ格納部１１２に遠隔で格納される。ネットワーク７０１の実行モジュール７０６は、システムスキーマを一般に実行するが、そのカバーエリア内の個人識別子１１０の存在を検出すると、個人識別子１１０のアイデンティティを使用して、データ格納部１１２に格納されたユーザの個人スキーマにアクセスして、取り出す。特定のネットワーク、又は複数のスキーマがＩＭＩシステム７０１に利用できるスキーマに依存して、データ格納部１１２からダウンロードされるユーザのスキーマが、異なる程度で用いられる。
【０１２１】
図７に例示されるように、センサ７０５のようなセンサシステム１０４の部品が、光源６０３のような照明システム１０２の部品と制御ライン６０７を共有する。
【０１２２】
図８Ａは、スキーマ及び好みデータが共有できる本発明の実施例による例示的なＩＭＩシステム８００のブロック線図を例示する。図８Ａに示されるように、スキーマは、実行モジュール７０６に接続されるスキーマ生成器２０４で生成されるか又は格納される。加えて、スキーマは、インターネット７０２を介して照明ネットワーク８０１にアクセス可能であって、一つ以上のネットワークに中心的にアクセス可能である遠隔スキーマ格納部８０２に遠隔で格納される。遠隔データスキーマ格納部８０２は、規則データベースであるとみなされる。一つの実施例では、遠隔スキーマ格納部は、スキーマ生成器である。幾つかの実施例では、実行モジュール７０６は、ＩＭＩシステム８００での実行のため遠隔スキーマ格納部８０２から、スキーマをダウンロードする。実行モジュール７０６は、管理人、照明デザイナー又はネットワーク８０１のオペレータの方向に遠隔スキーマ格納部８０２からスキーマをダウンロードする。スキーマは、そのときスキーマデータ格納部２０６にダウンロードできる。図８では別々のデータ格納部に格納されているように示されるが、ユーザの個人スキーマ及びシステムスキーマは、同じサーバ、別々のサーバ又は分散されたサーバに格納されてもよい。一つの実施例では、スキーマの所有者又は作者に補償するために、料金がスキーマのダウンロードする人から集金される。スキーマが照明システム１０２内の装置及び照明ネットワーク８０１のセンサシステム１０４内のセンサのサイズ及び数から独立しているか又は自動的に適応できるように、スキーマは記述できる。
【０１２３】
一つの実施例では、スキーマは、特定のビルに位置されるＩＭＩシステム８００内の照明ネットワーク８０１及び／又はビルの占有者の好みに適応するために学習プロセスを経験した後に、遠隔スキーマ格納部８０２にアップロードされる。同様のビル内の他のネットワークに斯様なスキーマを利用できるようにすることにより、占有者は同様の作業をしていると、最初のパラメータが、在庫品のスキーマ、又はビルマネージャにより単に準備されるスキーマより占有者によく適していることは、かなりよくありそうである。
【０１２４】
更に、ＩＭＩシステム８００は、ビル内の占有者の挙動が典型的であるものを超えて持っているか又は変化していることを発見する。ＩＭＩシステム８００は、そのとき他のビルからアップロードされ、斯様な変化をすでに経験して遠隔スキーマ格納部８０２に格納される利用できるスキーマをくまなく検索し、新規なスキーマへ切り替えるか、又はデータ融合を通じて新規なスキーマの方へ向けて作業規則のセットを得るように既存のスキーマを歩み寄らせる。一つの実施例では、スキーマが共有されるとき、ユーザの好み及び／又はスキーマが共有されないか、又は許可レベルにより決定される程度までだけ共有されるように、プライバシー懸念が考慮される。
【０１２５】
例えば、図３を参照すると、照明ネットワーク１０１及び３０１は同様のビル内に位置され、センサシステム１０４、３０４内の昼光センサへの入力が変化するとき、照明システム１０２、３０２各々は、照明システム１０２、３０２内の光源の照明出力を変えることにより１年を通じてエネルギー消費を最小化するように設計された昼光制御システムを含む。通常は多くのパラメータが、斯様な昼光制御システムを実行するため照明システム１０２、３０２に対する制御信号を生成する際に考慮されなければならないが、ＩＭＩ技術を用いて、これら照明システムは、トライアンドエラーを通じて最善の照明解決策を学ぶことができる。その上、これら照明システムは、互いに通信し、これらの解決策を見るために他のビル内の他のネットワークと通信できる。この実施例では、スキーマは、これら照明システムが学習したビルに対応すると言われてもよい。
【０１２６】
図８Ｂは、スキーマ及び好みデータが共有され、エージェントが遠隔リソースと通信するために使用される本発明の実施例による例示的なＩＭＩシステム８０３のブロック線図を例示する。図８Ｂに示されるように、照明システム１０２は、照明光源８０４及び輝度光源８０６の２タイプの光を含む。照明システム１０２は、一つ以上の照明光源８０４及び一つ以上の輝度光源８０６を含む。実行モジュール１０６は、個人識別子１１０又はセンサシステム１０４からの入力に基づいて、又はインターネット７０２を介して好みデータ格納部１１２からの入力に基づいてスキーマ生成器２０４から異なるスキーマを取り出せる。
【０１２７】
ネットワーク８０８は、エージェント８１０を含む。一つの実施例では、エージェント８１０は、例えば、遠隔スキーマ格納部８０２のようなスキーマの中央データベースを持つ監視センターの代表として働く。エージェント８１０は、ネットワーク８０８を監視し、挙動又は新しく開発されたスキーマを遠隔スキーマ格納部８０２にパスする。前記エージェントは、送る何かがあるとき情報を送るだけで自動的に働くか、又はスキーマ生成器２０４若しくは遠隔スキーマ格納部８０２からの要求によりトリガーされる。エージェントは、ソフトウェア又はファームウェアの一部として新規なネットワーク内にインストールされるように書き込まれるか、又はソフトウェア若しくはファームウェアアップグレードとして既存のネットワークにインストールされるように書き込まれてもよい。複数の独立ネットワークにインストールされるとき、一つ以上のエージェント８１０は、グローバルに得られた知識に従って遠隔スキーマ格納部８０２からより適切及び効率的な照明スキーマをダウンロードするために中央監視センターにより制御される。
【０１２８】
図９Ａは、実行モジュールが光源の一部である本発明の実施例による例示的なＩＭＩシステム用の光源のブロック線図を例示する。光源９０２Ａ及び９０２Ｂは、また、照明ネットワーク１０１用のセンサを含む。このように、光源９０２Ａ及び９０２Ｂは、照明システム１０２の一部、更にはセンサシステム１０４の一部である。光源９０２Ａ及び９０２Ｂ各々は、センサ９０４を含み、ネットワークライン９０６を介して通信する。一つの実施例では、光源９０２Ａは、実行モジュール９０８を含む。照明ネットワーク１０１のような照明ネットワークが成長するか、又はより複雑な光スキーマが実行されるか、及び／又は個人好みを持つ多くのユーザが照明ネットワーク１０１のカバーエリア内にあるとき、追加メモリが必要又は有益であろう。従って、一つの実施例では、光源９０２Ｂ各々は、メモリモジュール９１０を含む。メモリモジュール９１０は、製造プロセス及び光源９０２Ｂのサプライチェーンを最適化するための種々異なるサイズ又は能力でよい。
【０１２９】
図９Ｂは、実行モジュールが複数の光源に分散される本発明の実施例による例示的なＩＭＩシステム用の光源のブロック線図を例示する。図９Ｂでは、例示的な光源９０２Ｃ、９０２Ｂはネットワーク１０１用のセンサ９０４を含み、実行モジュールは幾つかの光源間に分散される。例えば、図９Ｂでは、光源９０２Ｃはコントローラ又はマイクロプロセッサ９０１を含み、光源９０２Ｂはメモリモジュール９１０を含む。この実施例は、必要ではないが、ユーザのスキーマが個人識別子１１０内に格納されるシステムのために使われてもよい。光源９０２Ｃは、照明システム１０２の一部、更にはセンサシステム１０４の一部であるとみなされる。
【０１３０】
図９Ｃは、各光源が実行モジュールを含む本発明の実施例による例示的なＩＭＩシステム用の光源のブロック線図を例示する。光源９１４Ａ乃至９１４Ｃは、同一でもよいし、ＲＦを介してのような無線で通信してもよい。光源９１４は、実行モジュール９０８及びセンサ９０４を含む。光源９１４は、照明システム１０２の一部、更にはセンサシステム１０４の一部であるとみなされる。図９Ｃに示される光源９０２Ａが同一であるとき、この実施例は光源９０２Ａに対するサプライチェーンを単純にする。一つの実施例では、光源９１４Ａのような光源９１４の１つは、マスター実行モジュールを持つように指定されてもよく、必要である限りネットワーク内の他の光源９１４Ｂ及び９１４Ｃのメモリ及び処理パワーを使用してもよい。種々異なる照明効果で制御されるべき多くのゾーンがある大きなネットワークでは、この空間内の全体的照明効果を制御するグランドマスタに全て副次的である複数のマスタ実行モジュールが指定される。例えば、自身の個人好みの設定を通じて、バー又はレストランにいる異なるグループの人々は、非常に異なる色の照明を持つ。省エネルギーの点で生じる状況、ＶＩＰの入場の信号を送る必要性又は終業時間が近いため、個人及びグループのカラー好みを依然保持しながら、グローバルな照明レベルが薄暗くされるか又は明るくなる。この実施例は、専用の照明コントローラの一定の階層を使用してもよい。光源９１４がセンサ９０４を含むので、光源９１４は、照明システム１０２の一部、更にはセンサシステム１０４の一部であるとみなされる。
【０１３１】
図９Ｄは、光源が光学的に通信する本発明の実施例による例示的なＩＭＩシステム用の光源のブロック線図を例示する。光源９１６は、１つの光源９１６から放射される光が通信信号で変調される照明器具である。この光は、環境の表面９１８を離れるように反射され、近くの光源により検出される、これら近くの光源は、全体で検出される光信号から通信信号を抽出するように構成される。光源９１４及び９０２Ａ乃至Ｃの様に、光源９１６はセンサ９０４を含むので、光源９１６は照明システム１０２の一部、更にはセンサシステム１０４の一部であるとみなされる。
【０１３２】
図９Ｅは、光源９２０Ａ乃至Ｄが様々なプロトコルを使用して通信する本発明の実施例による例示的なＩＭＩシステム用の光源のブロック線図を例示する。例えば、光源９２０Ａは、表面９１８の反射を通じて光学的に光源９２０Ｂと通信し、光源９２０Ｂは無線で光源９２０Ｃと通信し、光源９２０Ｃは有線接続を介して光源９２０Ｄと通信する。
【０１３３】
一つの実施例では、光源９０２Ａ、９０２Ｂ、９１４Ａ乃至Ｃ、９１６及び９２０Ａ乃至Ｄは、電力供給ラインと有線配線され、他の実施例では、光源９０２Ａ、９０２Ｂ、９１４Ａ乃至Ｃ、９１６及び９２０Ａ乃至Ｄは、個々の太陽パネルを通じて、又はバッテリを介してのように、個別に電力を供給される。
【０１３４】
図１０は、本発明の実施例によるネットワークレイアウトのブロック線図を例示する。ネットワーク１００２は、光源１００８にあるコントローラ１００６Ａ乃至Ｅの分散されたアレンジメントにより制御される複数の光源１００８を持つ幾つかの領域１００４Ａ乃至Ｄを含む。例えば、領域１００４Ａはオフィスを表し、領域１００４Ｂは通路を表し、領域１００４Ｃは待合室を表し、領域１００４Ｄは受付エリアを表す。一つの実施例では、各領域１００４Ａ乃至Ｄは、別々のネットワークを構成する。
【０１３５】
用語「コントローラ」は、概して、一つ以上のライトの動作に関係する様々な装置を記述するために、本願明細書において用いられる。コントローラは、本願明細書において述べられる様々な機能を実行するために数多くのやり方（例えば、専用ハードウエアの様な）で実行される。「プロセッサ」は、本願明細書において述べられる様々な機能を実行するためにソフトウェア（例えば、マイクロコード）を使用してプログラムされる一つ以上のマイクロプロセッサを使用するコントローラの１つの例である。コントローラは、プロセッサを使用して又は使用せずに実行され、更に幾つかの機能を実行する専用のハードウエアと他の機能を実行するプロセッサ（例えば、一つ以上のプログラムされたマイクロプロセッサ及び付随する回路）との組合せとして実行されてもよい。本開示の各種実施形態において使用されるコントローラ部品の例は、制限されるわけではないが、従来のマイクロプロセッサ、アプリケーションに特有の集積回路（ＡＳＩＣ）及びフィールドプログラマブルゲートアレイ（ＦＰＧＡ）を含む。
【０１３６】
一つのネットワーク実施態様において、ネットワークに結合された一つ以上の装置（例えば、一般的なライト又は光源、照明ユニット又は器具、一つ以上の光源若しくは照明ユニットと関連するコントローラ又はプロセッサ、他の照明に関係しない装置等）は、前記ネットワークに結合された一つ以上の他の装置に対するコントローラとして役立つ（例えば、マスター／スレーブ関係）。他の実施態様では、ネットワーク化された環境は、ネットワークに結合された一つ以上の装置を制御するように構成された一つ以上の専用コントローラを含む。一般に、ネットワークに結合された複数の装置各々が、通信媒体上にあるデータへのアクセスを持ってもよいが、所与の装置が「アドレス可能」でもよく、例えば当該装置に割り当てられた一つ以上の特定の識別子（例えば、「アドレス」）に基づいて、ネットワークとデータを選択的に交換するように（すなわち、データをネットワークから受信し及び／又はデータをネットワークへ送信するように）構成される。
【０１３７】
用語「アドレス可能」は、ここでは、当該装置自身を含む複数の装置に対して意図された情報（例えば、データ）を受信し、当該装置に対して意図された特定の情報に選択的に応答するように構成された装置を指すために用いられる。用語「アドレス可能」は、複数の装置がある通信媒体又はメディアを介して一緒に結合されるネットワーク化された環境と関連して、しばしば用いられる。
【０１３８】
様々な実施態様において、プロセッサ又はコントローラは、一つ以上のストレージ媒体（「メモリ」として本願明細書において概して呼ばれる、例えば、ＲＡＭ、ＰＲＯＭ、ＥＰＲＯＭ及びＥＥＰＲＯＭ、フレキシブルディスク、コンパクトディスク、光ディスク、磁気テープ等のような揮発性及び非揮発性のコンピュータメモリ）と関係している。幾つかの実施態様において、前記ストレージ媒体は、一つ以上のプロセッサ及び／又はコントローラで実行されるとき、本願明細書において述べられる機能の少なくとも幾つかの機能を実施する一つ以上のプログラムでコード化される。様々なストレージ媒体は、当該媒体上に格納された一つ以上のプログラムが、本願明細書において述べられる本開示の様々な態様を実行するためプロセッサ又はコントローラにロードできるように、プロセッサ又はコントローラ内に固定されるか、又は移動可能である。用語「プログラム」又は「コンピュータプログラム」は、一つ以上のプロセッサ又はコントローラをプログラムするために使用できる何れのタイプのコンピュータコード（例えば、ソフトウェア又はマイクロコード）も指すために、一般的な意味で本願明細書において用いられる。
【０１３９】
領域１００４Ａ乃至Ｄの各々は、一つの実施例では、光源９０２Ａ、９０２Ｂ、９１４Ａ乃至Ｃ、９１６及び９２０Ａ乃至Ｄである光源１００８を含む。領域１００４Ａが１２個の光源１００８を持つとして示されるが、領域１００４Ｂは４つの光源１００８を持つとして示され、領域１００４Ｃは８つの光源１００８を持つとして示され、領域１００４Ｄは８つの光源１００８を持つとして示され、領域は１つの光源だけを持つ。光源１００８は、光、有線、又は無線通信経路を含む複数の制御経路を介して互いと通信する。
【０１４０】
一つ以上の光源１００８は、プロセッサ及び／又はメモリを持つ。幾つかの実施例では、コントローラ１００６Ａ乃至Ｄのようなプロセッサを持つ光源１００８は、所与の領域内の光源１００８に対するスキーマを操作する。例えば、コントローラ１００６Ｃは、待合室領域１００４Ｃに対するスキーマを操作する。一つの実施例では、プロセッサを持つ光源のうちの１つが、適当なシステム操作を保証するため他のプロセッサからの信号を監視する「マスター」プロセッサ又はコントローラとして指定される。マスタープロセッサは、また、特定領域１００４Ａ乃至Ｄに対するスキーマを操作する。例えば、コントローラ１００６Ｄは、領域１００４Ｄに対するスキーマを操作し、ネットワーク１００２に対するマスタープロセッサとしても働く。マスタープロセッサは光源内のプロセッサの問題を検出する場合、マスタープロセッサは、領域に対するスキーマを実行する際に引き継ぐためのネットワークの予備プロセッサを示すことができる。マスターコントローラ１００６Ｄが、光源内のプロセッサ、例えば、コントローラ１００６Ａの問題を検出する場合、マスターコントローラ１００６Ｄは、ネットワーク内の予備のプロセッサ、例えば、領域１００４Ａに対するスキーマを実行する際に引き継ぐためのコントローラ１００６Ｅを示すことができる。メモリモジュール１０１２は、スキーマ及びユーザの好みのような情報を格納する。一つの実施例では、メモリモジュール１０１２各々は、同じ情報を格納する。コントローラが情報を一つのメモリモジュールから取り出すことができない場合、コントローラは、通信できる他のメモリモジュールから同じ情報を取り出す。他の実施例では、メモリモジュール１０１２の一つ以上は、他のメモリモジュールからの異なる情報を格納する。
【０１４１】
一つの実施例では、一つ以上の領域１００４Ａ乃至Ｄ又は領域の区域がコントローラ１００６を持たない場合、領域１００４Ａ乃至Ｄ内の装置は指示を受け取り、センサが他の領域１００４Ａ乃至Ｄのプロセッサへ観察されたパラメータを伝達する。
【０１４２】
図１０に図示される実施例では、メモリモジュール１０１２は、ネットワーク間に分散される。この実施例では、サブシステム又はネットワーク内の領域は、局地化されたデータベースを修正するため情報を使用する他のサブシステム又は領域へデータを提出する。例えば、挙動の特定のセットが領域１００４Ａ内で確立され、好みが、領域１００４Ａ内に位置されるメモリモジュール１０１２にローカルに格納される。領域１００４Ｄでは、確立した挙動がほとんどないか全くないが、そこにあるセンサが、ある種類の異なる挙動を検出する場合、コントローラ１００６Ｄは、ネットワーク内でメモリモジュール１０１２をポーリングでき、最も近い整合を見つけて、領域１００４Ｄ内のローカルのデータベース／メモリに好み又はスキーマパラメータをコピーできる。一つの実施例では、コントローラ１００６Ｄは、また、好み又はスキーマパラメータの上に最も近い整合を見つけるため遠隔データ格納部をポーリングし、好み又はスキーマパラメータをコピーする。ネットワークの１つの領域から他方の領域へ照明挙動を転送するか又はコピーする原理は、また、ネットワークの中心となるデータベースを使用してなされる。
【０１４３】
一つの実施例では、照明システム１０２は、Ｃｏｌｏｒ  Ｋｉｎｅｔｉｃｓ社のｉＰｌａｙｅｒ又はｉｌｌｕｍｉｖｉｓｉｏｎ  Ｐｈａｒｏｓのような既存の装置である。斯様な照明システムは、Ｄａｌｉ、ＤＭＸ、Ｚｉｇｂｅｅのような標準照明ネットワーク通信プロトコルに依存する。このように、照明システム１０２によって、斯様なプロトコル又は他のオープンスタンダードを使用可能にし、従って照明ネットワーク１０１が既存の照明プロトコルを使用して通信可能にする。
【０１４４】
図１１は、本発明の幾つかの実施例によるシステムスキーマの変更を図示するフローチャートである。１１０２で、最初の装置出力は、スキーマデータ格納部２０６に格納されるスキーマ内に設定される。１つの例示的な実施例では、最初の照明レベルは、部屋が占有されていないときの１０％に設定されてもよい。１１０４で、照明ネットワーク１０１のセンサシステム１０２は、例えば、個人識別子１１０の存在を検出することにより、又は、バイオメトリックデータを検出することにより、照明ネットワーク１０１のユーザ１０８のアイデンティティを検出し、１１０６で、実行モジュール１０６は、ユーザ１０８（又は、もしあれば、ユーザの個人スキーマ）に関連した好みをデータ格納部１１２から取り出す。取り出された個人好みは、ユーザが光源出力が変化するのを好むことを示す場合、例えば、ユーザが、８０％の照明レベルを好む場合、１１０８で、実行モジュール１０６は新規な光源出力を設定し、例えば、照明レベルを８０％に設定する。この態様で、実行モジュール１０６は、現行ユーザの個人的装置パラメータを含む個人の好みに適合するようにシステムスキーマを修正し、修正されたスキーマを照明システム１０２の一つ以上の光源の出力設定を制御するための指示に翻訳する。スキーマを指示に翻訳するとき、実行モジュール１０６及び／又はそのコントローラは、照明ネットワーク１０１の構成に従う指示を解釈する。例えば、実行モジュール１０６は、照明システム１０２の機能に従う「和らげる（ｓｏｏｔｈｉｎｇ）」スキーマを解釈する。例えば、スキーマの規則は、特定の色の光が放射されることを示唆するが、照明システム１０２はその色を出力する機能を有しない。その状況では、実行モジュール１０６は、照明システム１０２に同様の色の光を放射するように指示する。修正されたスキーマは、スキーマデータ格納部２０６に格納される。１１１０では、センサシステム１０２が照明ネットワーク１０１のユーザ１０８の存在をもはや検出しないとき、実行モジュール１０６は、１１０２で１０％の最初の照明レベルに戻ってスキーマの照明システム１０２内で光源出力を設定し、スキーマデータ格納部２０６に修正されたスキーマを格納する。
【０１４５】
図１２は、複数のユーザに対する好み又はスキーマが考慮される本発明の幾つかの実施例による遠隔データベースからユーザの好み又はスキーマの実行を図示するフローチャートである。１２０２で、最初の装置出力が設定される。１２０４で、例えばセンサシステム１０２は、ユーザの個人識別子１１０を検出することにより、ユーザの存在を検出し、１２０６で、実行モジュール１０６は、データ格納部１１２からユーザに関連した好みを取り出す。取り出された個人好み又はユーザの個人スキーマは、ユーザが装置出力が変化するのを好むことを示す場合、１２０８で、実行モジュール１０６は、新規な装置出力を設定する。１２１０で、センサシステム１０４は、例えばネットワーク１０１がある場合、個人識別子１１４を検出することにより、付加的なユーザ１１６（図３を参照）を検出する。１２１２で、実行モジュール１０６は、データ格納部１１２から第２の個人識別子１１４に関連した好み又はスキーマを取り出す。一つの実施例では、好みをデータ格納部１１２から取り出す代わりに、又はそれに加えて、実行モジュール１０６は、ユーザの現在の好みデータを得るためユーザ１０８及びユーザ１１６のようなユーザをポーリング（ｐｏｌｌ）する。各ユーザは、ユーザの個人識別子にユーザの現在の好みを入力し、その後、ユーザの個人識別子は、この情報を実行モジュール１０６に供給する。
【０１４６】
１２１４で、実行モジュール１０６は、第２の個人識別子１１４を持つ付加的なユーザ１１６及びユーザ１０８からの好みを使用して、平均レベル又は組合せレベルを決定する。斯様な組合せは、限定されるわけではないが二人のユーザの好みの混合、ユーザの好みの平均及び一連のユーザの好みである。ユーザの１人に対する好みデータは、ユーザの１人が他のユーザよりも優先状態を持つことを示す登録データを含み、この場合、２人のユーザの好みの組合せは、高い優先のユーザの好みの選択であるか、又は、より高い優先を持つユーザの好みの重みづけ平均であるか、又は個人識別子、対応するユーザがスペース内に存在した時間の長さに従って重みづけされた重みづけ平均である。１２１６では、実行モジュール１０６は、１２１４で決定されるような照明システム１０２の光源に対する光出力の新規なレベルを設定する。
【０１４７】
一方の出力設定から他方の出力設定への遷移は、環境内にいるユーザを新しい設定にゆっくり入れないように、差し迫っているか若しくは急速であるか、又は遅らせるか若しくは徐々にでもよい。遷移時間は数秒又は数分にわたって変化でき、この遷移時間はユーザの好みデータに含まれてもよい。
【０１４８】
図１３は、本発明の幾つかの実施例による遠隔データベースからのスキーマ又はユーザの好みの実行を図示しているフローチャートである。図１３では、１３０２で、実行モジュール１０６は、センサシステム１０４から又は実行モジュール１０６内の内蔵タイミングメカニズムから時刻を示すデータを受信する。１３０４で、センサシステム１０４は、限定されるわけではないが、天気入力、温度入力、及び昼日光レベルのような周囲センサ入力を取り出す。１３０６で、センサシステム１０４は、例えば個人識別子１１０を検出することにより一人以上のユーザを検出し、１３０８で、実行モジュール１０６は、データ格納部１１２からユーザのグループ共有のスキーマのようなユーザに関連した好みを取り出す。１３１０で、実行モジュール１０６は、取り出された好みデータをローカルデータ格納部２０２に加える。１３１２で、実行モジュール１０６は、センサシステム１０４から取り出される共有された好み、時間及び他のデータをシステムスキーマに挿入する。１３１４で、修正されたシステムスキーマを用いて、実行モジュール１０６は、スキーマの実行のための照明システム１０４へ送信されるべき制御信号を決定する。１３１６で、実行モジュール１０６は、照明システム１０４の光源に対する新規な出力を設定する。
【０１４９】
一つの実施例では、ユーザが１日にわたって様々な異なる場所を訪問するとき、ネットワーク１０１は、ユーザに調整された経験（例えば、調整された音楽の経験）を提供する。例えば、電車の駅は、その近くにいるユーザの好みに従って制御できるビデオスクリーンを持つ。仕事を探している人は、オプションで電話番号も含む、彼らが探している仕事のタイプ及び彼らのスキルを紹介する短いビデオクリップをアップロードする。このクリップは、周辺で見る人々に対してスクリーンに自動的に上演でき、二人の間のミーティングを促進する。個人的に車を販売している人々は、他のアイテムを販売している場合でも、同じようにできる。広告は、検出されるキーワードとリンクできる。
【０１５０】
幾つかの発明の実施例が本願に説明され例示され、当業者は、機能を実行し及び／又は結果及び／又は本願に記載されている利点の一つ以上を得るための様々な実施例を容易に構想するだろう。
【０１５１】
例えば、重要なエネルギー節約は、ミーティングルームのためのＨＶＡＣ設備及び照明を制御することにより、大きなオフィスビルで達成できる。すなわち、ルームが占有されていないとき、光源は調光されるか又はオフにされ、エアコン稼働を減少できる。ミーティングルームに対する例示的スキーマは、以下の規則の一つ以上を含む：（１）会議室が空きである場合、ライトを含む全ての装置はオフでなければならない；（２）動きがある１人の占有者がルームにいる場合、ルームは占有者の好みデータに従って照明されなければならないが、占有者の好みは白を中心にして小さな範囲でスケーリングされなければならない；（３）静止していてテーブルについている一人の占有者がルームにいる場合、システムは占有者の好みデータに従って占有者のデスク領域を照明しなければならず、ルームの他の領域を低減したレベルで、例えば、通常の輝度の３０％である輝度で照明しなければならない；（４）複数の占有者が会議室にいて、占有者全員が立っている場合、ミーティングルームの照明レベルは占有者の好みの平均に設定しなければならない；（５）複数の占有者が会議室にいて、１人の占有者がテーブルに座る場合、占有者が座っているテーブルへ投射しているライトは、占有者の好みへ設定されなければならず、他のルームライトは５％減光されなければならない；（６）全ての占有者が一つ以上のテーブルの席に着く場合、テーブルの周りの特定の領域又は都合がつく限りルーム内で占有者の好みにセットされなければならず、テーブルに向けられていないルームライトは３０％の輝度レベルに減少しなければならない；（７）全ての占有者が着席していて、占有者が着席した時からある程度の時間が過ぎた後一人以上の占有者がそわそわし出す場合、ライトに青い色合いを加える；（８）占有者が立ち始めるとき、占有者の好みに従ってルームを明るくするが、光出力を白を中心に小さな範囲内にスケーリングする。このスキーマは、ミーティングルームを持つ他のネットワークと共有してもよい。
【０１５２】
一つの実施例では、ビル管理システムは、照明及びＨＶＡＣ機能を制御できるが、代わりにミーティングスケジュールの知識だけを持ってもよい。ＩＭＩシステムは、占有者がルームに入るか又は離れる時を監視することにより援助でき、何人がルーム内にいるかをビル管理システムに知らせることができる。各人が通常１００ワットの熱を生成するので、２０人以上の集会は会議ルームＨＶＡＣ要件に重要な影響を及ぼし得る。
【０１５３】
ミーティング活動が変化するとき、ミーティングルーム内の照明要求がしばしば変化する。例えば、参加者は、ビデオプレゼンテーションとホワイトボードディスカッションとの間で変化するかもしれない。ビデオプロジェクタのような装置は装置管理システムと接続されているか又は接続されていなくてもよく、通常の照明がビデオプレゼンテーションの間に必要とされる場合、ユーザが光源を手動で制御することは混乱させることになる。しかしながら、ＩＭＩシステムは、それらの個人識別子から誰がミーティング内にいるかを決定できる。このとき、それらの総体的な照明スキーマ及び位置は、過去の履歴に基づいて、ミーティングルームに対するそれらの最もありそうな照明の好みを決定するために使用できる。
【０１５４】
他の例では、カバーエリアがロビー（ｆｏｙｅｒ）を含むネットワークは、特定された及び特定されていない人々に反応するために、以下のスキーマを生成し、及び／又は実行する。ロビースキーマは、占有者がネットワークのカバーエリア内に検出されなかったデフォルトモードを含む。デフォルトモードでは、空間は、ゆっくりだが継続的に変化している色又は輝度で低レベルで照明される。人がロビーに入る度に、異なる色が導入される。ロビースキーマは、人がロビー付近にいるがロビーの外にいるときに対するモードも含む。このモードでは、人が入口に近づくとき、照明レベルは、中に入るように一種の誘いとして、わずかに増大するか又は色を変える。一つの実施例では、ロビーへの扉は透明であるか、又は占有者が照明レベル若しくは照明の色の変化がわかるように窓がドアの近くにある。ロビースキーマは、占有者がちょうどロビーに入ってあたりを見まわしているときのためのモードを含む。このモードでは、１つの特定の又はランダムに選択された領域の輝度が増大されるか、又はその領域の色の変化がある。占有者の焦点がその領域に変わるとき、システムは占有者の視線を追う。このとき、輝度又は色の変化が、更に強化される。一つの実施例では、その後明るい又は着色した領域がゆっくりルームの周りを動き始め、システムは占有者の視線を追い続ける。占有者が明るい又は着色した領域をフォローする場合、強化された輝度又は色が継続する。そうでない場合、明るい又は着色した領域は、おそらく遅いか又は速い速度で、占有者の視線でその領域を占有者がフォローすることを誘発しようとして、最初のゾーンから再開してもよい。占有者がどこか他の所を見る場合、占有者が見る領域は、明るくなるか又は色付きになり、プロセスがこの新しい出発点から再び試みられる。一つの実施例では、占有者が微笑み始めるか又は言葉で明るい若しくは着色した領域を承認する場合、全体のルームは色の瞬間的な増大で反応する。このモードでは、占有者が肯定的に反応する限り、ルームは、占有者に何ができるかを示そうとする。１つのモードでは、占有者がロビー内の特定領域を示している場合、例えば、占有者に同行している客に占有者が明るい又は着色した領域を指し示している場合、占有者が指示している領域は更に明るくなるか又は色が強まり、占有者がこれらを可能にした場合、使用される色は占有者の好み若しくはスキーマから取り出されるか、又は客が好み又はスキーマを可能にした場合、客の好み若しくはスキーマから取り出される。一つの実施例では、占有者がロビーを称賛して振り向く場合、占有者は、占有者の好みから選択される色によって、占有者の周りの暖かい明るさ（ｇｌｏｗ）で報われてもよい。人々がすでにロビーにいる場合、照明の強化、色及び動きは、人々を妨げないようにこれらの人々の近くに最小化される。既にシステム内にいるそれらの人々の周りの照明は、スキーマで定められる色域により制限される人々の好みの組合せのある実行により決定されてもよい。斯様な組合せは、限定されるわけではないが、占有者の好みの混合、占有者の好みの平均、選択される優先の占有者の好み、占有者の優先に基づく占有者の好みの加重平均、及び一連の異なる占有者の好みである。
【０１５５】
ロビーの例において、占有者が入場し、ロビー内のある位置に向かうとき、何れのポイントでも占有者があたりを見まわすことに興味を持っていない場合、例えば、占有者が単に座って新聞を読んでいるか、又はある場所（例えば洗面所、バー、受付）へ直行する場合、照明システムは、彼女の好みに従って読書ライトを供給し、彼女の好みに従って静的照明モードへ行くことにより反応するか、又は彼女が歩いて行きそうである位置を決定しようとし、彼女の好みに従ってそのための追加の照明を供給することにより反応する。２つの又は３つのありそうな目的地がある場合、システムは占有者が行こうとしている所に関してより正確な決定をするまで、全てのありそうな目的地が照明される。占有者が目的地の方へ歩くとき、より暖かい明るさ（ｇｌｏｗ）が占有者を囲む。それは、天気に関係されてもよいし、天気とは反対であったり、服の主要な色若しくは補色、又は、占有者の優先度若しくは年長のレベルによってもよい。加えて、占有者を追従する光の色又は輝度は、占有者の好みデータにより決定されてもよい。ロビーは、占有者がロビーに入って、すべき行動を見つけたときに対するモードを持ってもよい。このモードでは、ローカル照明は、占有者の行動及びその行動に対する占有者の照明の好みへ調整する。残りの照明は、エネルギーを節約するため輝度を徐々に減少させるが、占有者の視線が行動から目を逸らす度に僅かに異ならせるため、徐々に色を変える。それから、占有者が周りを更に見まわし始める場合、照明は、徐々に又は急に変化し続けてもよい。
【０１５６】
更に他の例では、スキーマは、ユーザのための個人事務室のために作成されてもよい。このスキーマは、限定されるわけではないが切換可能な及び／又は調光可能な光源を含む照明システムと、占有センサ、動きセンサ、ＲＦＩＤタグセンサのような個人識別子センサの一つ以上を持つセンサシステムと、ＲＦＩＤタグ地理センサのような個人識別子地理センサとを持つネットワークで実行される。前記ネットワークは、コンピュータ可読媒体で具現化される下記のソフトウェアモジュールの一つ以上を更に含む：タイマー又はイベントスケジュールモジュール、挙動学習機能モジュール、並びにエネルギー使用ロギング及び報告機能モジュール。ネットワークは、ビル管理システムと通信してもよい。
【０１５７】
例えば、ユーザは、窓のない個人事務室で働き、オフィスへ到着すると個人事務室ビルへのアクセスを受けるためにＲＦＩＤキーフォブを使用し、一般にビルのフロントドアから占有者の個人事務室に直接進む。日中、ユーザは、通常ユーザのオフィスにいたままであるが、時々長時間の間、予定された会議のために離れ、個人事務室を留守にする。ユーザは、時々夜遅くまで、また週末に働き、これらは定期的に又は不定期に発生する。ＩＭＩシステムは、ユーザがビルに入ったというセキュリティシステムからの通知を受け、その際、ＩＭＩシステムは、個人事務室内の照明器具をオンすることができる。ユーザが早く到着し、ビル照明器具がセキュリティ照明から離れてオフである場合、ＩＭＩシステムは、ユーザの個人事務室までのルートを照明するために必要な照明器具だけをオンできる。センサシステムは、また、予め設定された距離、例えば１メートルの範囲内でユーザの位置を決定するため規則的にユーザのＲＦＩＤタグを問い合わせできる。ユーザがビル内のどこかで会議中の場合、センサシステムは、これを検出でき、実行モジュールは、幾らか予め設定された遅延の後ユーザのオフィスライトをオフにでき、ユーザの戻りに応じてライトをオンできる。
【０１５８】
ＩＭＩシステムは、また、自然の昼光の強度の変化を模倣するため、１日を通じてユーザのオフィス照明の強度を制御してもよい。加えて、個人事務室がソリッドステート照明（半導体照明）（ＳＳＬ）の照明器具を持つ場合、システムは、また、ユーザの２４時間周期のリズムにきっかけを与えるように、色温度及びスペクトル内容を制御する。夜勤シフト労働者（及び潜水艦の船員）に関する研究論文は、このように照明を変えることが従業員のストレスレベルを低下させることを示した。
【０１５９】
ＩＭＩシステムは、また、ユーザが周囲照明の相当に高いレベルを好む一方で、隣接するオフィスの人は周囲照明のもっと低いレベルを好むということをユーザの好みから知っている。その人がユーザのオフィスを訪問する場合、ＩＭＩシステムは、妥協としてユーザのオフィス照明を減光することを選択する。個人事務室の主要な占有者として、ユーザは、この挙動を無効（ｏｖｅｒｒｉｄｅ）にする権利がある。ユーザが十分にしばしばライトを減光することを無効にする場合、ＩＭＩシステムは、この好みを明確に知らされることなくユーザの好みを学習する。
【０１６０】
ＩＭＩシステムは、また、ユーザのオフィス内のパイロ電気又は超音波占有センサにアクセスする。ユーザが個人事務室にいるが、長期間動きの検出がないとユーザの個人識別子が言っていると当該センサが決定する場合、ＩＭＩシステムは、ユーザがオフィスから離れたのにユーザの机上の個人識別子を残したか又は寝入ったと仮定して、照明システムを減光するか又はオフにする。また、ユーザは、この挙動を無効にしてもよく、十分にしばしば無効にされる場合、ＩＭＩシステムは、占有センサ遅延時間を延長し、最終的に全くセンサを無効にすることを学習する。
【０１６１】
ＩＭＩシステムは、また、ユーザの個人スケジュール及び他の装置にも接続されるので、指定の時間が近づいているのにユーザが眠っていることを検出する場合、アラームを発して、ユーザの好きな音楽を演奏し及び／又はライトの輝度を上げる。
【０１６２】
一つの実施例では、ビルマネージャは、ユーザの１日の活動へのアクセスを、これらの活動が、プライバシー理由のため匿名でビルマネージャに供給されるにもかかわらず、持ってもよい。これは、ユーザの毎月のエネルギー消費の記録をビルマネージャに提供する。（個人事務室が占有されていないとき、個人事務室の照明をオフにすることが許容されるような）ＩＭＩシステムがエネルギーを節約可能にするのにユーザが熱心である場合、ユーザは、ユーザの給料の小さくても目立つ量をクレジットされるか、又は他のインセンティブが提供される。
【０１６３】
ＩＭＩシステムは、また、電力会社から時間当たりの電気的光熱費を決定し、必要又は要求されるとき、照明器具を減光することにより電力平均分配を実行するためにビル管理システムに問い合わせてもよい。
【０１６４】
他の例示的なスキーマは、ユーザのための個人事務室に対して作成されてもよい。このスキーマは、限定されるわけではないが切換可能な及び／又は調光可能な光源、受光器、モータ駆動点滅及び／又はエレクトロクロミック窓を含む照明システムと、占有センサ、動きセンサ、ＲＦＩＤタグセンサのような個人識別子センサ、ＲＦＩＤタグ地理センサのような個人識別子地理センサの一つ以上を持つセンサシステムと、照明器具又は天井取付け昼光フォトセンサ、エクステリアフォトセンサ、撮像センサ及び色温度センサとを持つネットワークで実行される。前記ネットワークは、コンピュータ可読媒体で具現化される下記のソフトウェアモジュールの一つ以上を更に含む：タイマー又はイベントスケジュールモジュール、挙動を学習機能モジュール、並びにエネルギー使用ロギング及び報告機能モジュール。ネットワークは、ビル管理システム及び／又はオフィスコンピュータシステムと通信してもよい。
【０１６５】
この実施例では、ユーザは、西向きの窓を持つ個人事務室を持つ。ユーザは、朝の時間に付勢される照明器具を好むが、照明器具を減光するか又は全く照明器具をオフにするのに十分な昼光の日差しが午後に通常はある。しかしながら、太陽は、夏の各月の遅い午後にグレア源であり得るので、ユーザは、時々ブラインドを閉じてライトをオンにする。ユーザはコンピュータで作業するとき、ユーザは、また、作業照明のためデスクランプで照明器具が調光されるのを好むが、ユーザがオフィスの会議を開くとき、ユーザは多くの光を必要とする。
【０１６６】
ＩＭＩシステムは、ルーム内で照明器具又は天井取付け昼光センサを監視できるか、又は屋根に据え付けた昼光センサを監視できる。最初の例では、ＩＭＩシステムは、ルーム内の一定のデスクトップ照明を維持するために、閉ループフィードバックモードで照明器具を操作できる。第２の例では、ブラインドが開いていると仮定しなければならないが、ＩＭＩシステムは同じ目的を達成するために開ループモードで照明器具を操作できる。
【０１６７】
それ自体によっては、天井取付けフォトセンサは、その視野内の反射光の平均量を決定できるだけである。しかしながら、一つの実施例では、ＩＭＩシステムは、１日の時刻及びカレンダ日付から太陽が潜在的グレア源であると決定でき、ブラインドが動力化される場合ブラインドを閉じるか、又は同じようにエレクトロクロミック窓を暗くできる。
【０１６８】
加えて、一つの実施例では、天井取付けフォトセンサが撮像装置である場合、ＩＭＩシステムは、ａ）現在のデスクトップ照明を決定するステップと、ｂ）ルームが占有されているかを検出するステップと、ｃ）ルーム内の占有者の位置を決定するステップと、ｄ）ルームが占有されていないとき又は数時間後、セキュリティ機能を実施するステップとを含む、様々な目的のための画像を処理できる。ＩＭＩシステムは、コンピュータ搭載のＷｅｂｃａｍを潜在的に監視できる。
【０１６９】
他の実施例では、ユーザは、夏の数か月の間の晴れの日に定期的にブラインドを閉じる場合、ＩＭＩシステムはこの挙動を学習でき、適当なときに自動的に機能を実施できる。この動作が所望されない場合、デスクトップコンピュータ又は移動電話を通じて入力される単純な「最後のイベントを取り消す」命令は、ＩＭＩを再訓練するのに十分である。
【０１７０】
多くの昼光制御システムは、晴れの日に雲が通過するか又は輸送車からの反射（実例である）のような外部のイベントにより容易に混乱するが、一つの実施例では、ＩＭＩシステムは、より適切な応答を決定するため、フォトセンサの出力をビル内の又は更に周辺の他のビル内の他のフォトセンサと比較できる。
【０１７１】
監視し複数のセンサからの情報を共有する能力は、幾つかの実施例ではセキュリティのために有用である。例えば、一つの実施例では、撮像装置が夜にルーム内の動きを検出する場合、それは侵入者又は通過する車からの単なる光である。しかしながら、撮像装置がその後ルームの外で動きを検出する場合、それはおそらく侵入者であり、よって、警報イベントがビル管理システムに提起される。
【０１７２】
一つの実施例では、ユーザがユーザの個人識別子の位置に従ってルーム内にいることをＩＭＩシステムが検出する場合、ＩＭＩシステムは、頭上の照明器具が減光されデスクランプが点灯されるべきかを決定するため、最近のデスクトップコンピュータ活動に対してオフィスコンピュータシステムに問い合わせる。
【０１７３】
幾つかの実施例では、デスクランプを自身のＩＰアドレスを持つ照明ネットワークに接続する代わりに、頭上の照明器具により生成される命令を受けることができる光検出器をデスクランプ及び他の光源に搭載することが、より経済的である。蛍光又はＳＳＬランプの光出力は、ユーザにより視覚的に感知できない（赤外線遠隔制御と同様の）デジタル命令で変調できる。
【０１７４】
幾つかの実施例では、ＩＭＩシステムは、また、相談するか又は逆にユーザのミーティングスケジューラによって通知されなくてもよく、スケジュールされたミーティングのための準備の際、ルーム照明を変えて、ミーティングがまさに始まろうとする微妙な視覚のキューを提供してもよい。
【０１７５】
マルチカラーＳＳＬ照明器具で、ＩＭＩシステムは、更に、ルームに入っている昼光の色温度を監視し、よって照明器具色温度を調整する機会を持つ。
【０１７６】
本願で説明されている実施例によると、ユーザの個人事務室のためのスキーマが一旦確立されると、ユーザの好みの方へ適合されるスキーマが、他のネットワークと共有される。例えば、スキーマは、ユーザの通常のオフィス以外のサテライトオフィスからユーザが働いているとき、ユーザのホームオフィスで操作されるネットワークによりアクセスされる。
【０１７７】
他の例示的なスキーマは、開いたオフィス個室のような、個人事務室でないユーザのための作業スペースのために作成されてもよい。斯様な作業スペースは、例えば、頭上の直接−間接的な蛍光照明及びキャビネット下の作業照明を持つ。
【０１７８】
ＩＭＩシステムは、ユーザの机上の直接の頭上の照明器具のため、作業照明及び周囲照明の斯様な作業スペース独立制御での作業をユーザに提供できる。ＩＭＩシステムは、また、作業スペースが位置されるオフィススペース全体にわたる照明分布を知っているので、これらの照明器具を調光することが隣接する作業スペース又は個室の作業照明及び周囲照明に負の影響を与えないことを保証できる。例えば、ＩＭＩシステムは、同僚により起動される作業照明及び周囲照明の変化に対する作業者反応を記録することにより、作業者の好みを速く学習できる。これは皆に対して充分な満足を保証するわけではない一方、最適バランスを速く確立できる。一つの実施例では、作業者は、同僚による環境の変化の実行の際、意見を求められてもよい。他の実施例では、作業者の好みは、同僚による変化に応じて、作業者の環境手動修正に基づいて学習されてもよい。
【０１７９】
この実施例によるスキーマでは、ＩＭＩシステムは、昼光進入を監視でき、適当に、頭上の照明器具を調光することによりエネルギーを節約できる。これは、また、視覚のグレアを最小化するために、モーター駆動されたブラインド又はエレクトロクロミック窓を操作する。幾つかの実施例では、ＩＭＩシステムは、複数のセンサへのアクセスを持ち、スペースを通じて、電気的光及び昼日光両方の良好な分布を構築できる。実時間でスペース内の個人を追跡できない場合でさえ、動いている人々及び変化する昼日状況による光レベルについての違いを区別するために複数のフォトセンサ及び画像センサからの出力を検査できる。
【０１８０】
しかしながら、ＩＭＩシステムは人々を追跡できる場合、混雑する出口の危険なしに、最適な出口ルートを計算することにより、ビル避難を要求する緊急状況に応えることができるし、頭上の照明器具の点滅を介して人々に示すことができる。更に、各人が避難したことを確実にでき、避難できなかった人々を位置決めできる。
【０１８１】
作業スペースに対するスキーマにおいて、天井又は頭上の照明器具に取り付けられる画像センサは、ユーザの位置を監視し、よってキャビネット下の作業照明を制御できる。代わりに、表示モニタ内に位置する平坦取付パイロ電気動きセンサが、作業個室内の作業照明及びコンピュータ節電モード両方を制御するためにＩＭＩシステムにより監視できる。
【０１８２】
本願で説明される実施例によると、このスキーマは、他のビル、ネットワーク及びＩＭＩシステムと共有されてもよい。例えば、作業スペースを含むカバー領域を持つネットワークを備えるＩＭＩシステムは、作業スペース内での操作のために事前に確立されたスキーマを利用することを望んでもよい。
【０１８３】
幾つかの実施例では、照明システムは、フリースペース可視光通信ができるＳＳＬベースの照明器具を含む。ＳＳＬベースの照明器具は、通信ケーブルのための低電圧配線又は導管を必要とせず、これは新規な通信配線及び導管の架設が極端に高価であり得るオフィスにＩＭＩシステムが新しく組み込まれる実施例にとって有用である。ＳＳＬベースの照明器具を利用するシステムは、本質的に耐故障性でもある。互いの視線内の全ての照明器具は、グループ内の他の任意の照明器具と通信できる。１つの照明器具又はそのオンボードプロセッサが何らかの理由で故障する場合、残りのネットワークは影響を受けない。その上、互いの視線内にない照明器具は、両方の照明器具の視線内にある一つ以上の照明器具を介して依然通信してもよい。その上、ＳＳＬベースの照明器具を利用するシステムは、Ｚｉｇｂｅｅ又はブルートゥースのような無線通信技術で発生するような無線周波数干渉又は通信路容量限界に関係のない可視光通信を利用できる。加えて、例えば幾つかの赤外線ＬＥＤ又は無線周波数トランシーバにより必要とされるような追加のパワー電子回路が、ＳＳＬベースの照明器具のためには必要とされない。可視光モジュレータは、ＬＥＤドライバの一体化部品である。
【０１８４】
他の例示的なスキーマが、ホテル用に作成されてもよい。例えば、ホテルは、スタッフメンバーが次の客にサービスを提供可能であることを示すために、使用スポットライト又は壁面照明を使用するスキーマを実行する。客を識別できるセンサシステムを持つホテルのネットワークは、チェックイン登録処理のために既に準備できているスタッフメンバーへ、照明キューを介して客を導くことができる。
【０１８５】
照明及び特に色は、グループ旅行者が大きいホテルのロビー又はレストランに集まらなければならないところを特定するためにも使用できる。ここで、ＲＦＩＤを装備したホテルルームキーカードは、目立たない態様で客を位置決めし導くのに役に立つ。
【０１８６】
これと同様の態様で、色付けした照明は、近接しているとき例えば強度又は色を変えることにより、大きなロビー内で互いの位置付けから２人を支援するために使用できる。これと同様の態様で、ＩＭＩシステムは、ＲＦＩＤを装備したホテルルームキーを追跡し、長い通路内のドアの隣の光レベルを増大することにより、新しく到着された客を部屋へ導くことができるか、又は例えばエレベータを出るとき客が間違った方へ曲がる場合、照明器具を発光させる。
【０１８７】
照明管理システムは、ホテルにより制御されているシステムの代わりに、又はそれに加えて、顧客に対応し支援するシステムとして顧客により気付かれてもよい。
【０１８８】
ホテルのプール又は運動ルームにおいて、客は、夜遅く又は朝早くで、自身独りであることに気付く。この状況では、ＩＭＩシステムは、プール内の人の位置を追跡し、（プール端に埋め込まれているＬＥＤのような）色付した光で追尾するためにカメラを使用できるか又は物理的活動のレベルに基づいて運動ルーム内のカラーアクセント照明の強度を変化できる。
【０１８９】
ホテルの部屋では、ＩＭＩシステムは、アラームが鳴り出す１０分ほど前の朝に照明レベルをゆっくり増大でき、日の出をまねる自然な照明合図をボディに供給する。同様に、客が夜の間にベッドから出る場合、バスルームライトが自動的にオンにできる。夜にホテルの敷地及び庭において、ＩＭＩシステムは、客の位置を追って、よって景色照明を制御することにより、経路に沿って客を導くことができる。
【０１９０】
本願に説明されている実施例によると、ホテルのためのスキーマが作成されると、スキーマは、スキーマが確立されたホテルと同様のアメニティ及び照明システムを持つ他のネットワーク及びＩＭＩシステム、例えば、他のホテル、モーテル、分譲マンションビル及び共同住宅のような、他のネットワーク及びＩＭＩシステムと共有される。
【０１９１】
他の例示的なスキーマは、ショッピングセンタ用に作成されるか、又はショッピングセンタ内の個々のストアのために作成される。報酬プログラムの会員を示す個人識別子を持つ買い物客は、ストアに近づくとき興味があるセール又は特別なイベントがある場合、店頭の色を変えることを介して通知される。他の買い物客にとって、変化する色は良い感じのウィンドウディスプレイを表すが、会員にとっては、変化が通知として役に立つ。
【０１９２】
報酬プログラム会員がストアに入るとき、ストア入口照明も瞬間的に色を変えて（しかし、この機能を可能にした場合にだけ）、それによって会員の存在を承認し歓迎する。
これは、特に会員が友人とショッピングしている場合、報酬プログラム会員資格を考慮させるため他の顧客に対する誘導としても役に立つ。
【０１９３】
その最も通常の感覚では、本願に開示されるＩＭＩ環境は、ＩＭＩ関係の機能を実施するために結合されてもよいシステムの連合であって、このようにネットワークは固定される必要はない。例えば、センサシステム内のコンピュータホスティングセンサ（例えば、周囲照明及び占有センサ）は、これらがＩＭＩ目的のために使用されていることさえ知られなくてもよい。これらがそうである場合、コンピュータは、センサを監視し制御するようにプログラムされるＩＭＩシステムなしにその操作に影響することができる。ＩＭＩの観点から、コンピュータは、単なるデータソースである。
【０１９４】
幾つかの発明の実施例が本願明細書において図と共に説明されると共に、当業者は機能を実行し、並びに／又は結果及び／若しくは本願明細書において記載されている効果の一つ以上を得るための様々な他の手段及び／若しくは構造を容易に構想するが、斯様なバリエーション及び／又は変更態様の各々は本願明細書において記載されている発明の実施例の範囲内であると考えられる。さらに一般的にいえば、当業者は、本願明細書において記載されている全てのパラメータ、寸法、物質及び構成が例示的なものであり、実際のパラメータ、寸法、物質及び／又は構成は、本発明の教示が使用される特定のアプリケーション又はアプリケーションに依存することは、容易に理解するだろう。当業者は、本願明細書において記載されている特定の発明の実施例に対して多くの等価物を、ルーチン試験だけを使用して理解し、確認できるだろう。したがって、前述の実施例が単なる例示により表わされていて、添付の請求の範囲及びその等価物の範囲内で、発明の実施例が、特に説明されたり、クレームされたもの以外でも実践されるということは理解されるべきである。本開示の発明の実施例は、本願明細書において説明された個々の特徴、システム、物品、材料、キット及び／又は方法に向いている。加えて、斯様な特徴、システム、物品、材料、キット及び／又は方法が相互に矛盾していない場合、斯様な２つ以上の特徴、システム、物品、材料、キット及び／又は方法の何れの組合せも本開示の発明の範囲の中に含まれる。
【０１９５】
本願明細書において定められ、使用される全ての定義は、辞書定義、参照した文献での定義及び／又は定義された用語の通常の意味にわたって管理するように理解されるべきである。
【０１９６】
本願明細書及び請求項において使用された不定冠詞「ａ」及び「ａｎ」は、明らかに反対が示されない限り、「少なくとも１つ」を意味すると理解されるべきである。
【０１９７】
本願明細書及び請求項において使用されたフレーズ「及び／又は」は、連接された要素、すなわち、ある場合には共同して存在し、他の場合には分離的に存在する要素の「一方又は両方」を意味すると理解されるべきである。「及び／又は」でリストされた複数の要素は、同じ様式、すなわち、連接された要素の「一つ以上」と解釈されるべきである。他の要素は、特に特定されたそれらの要素と関係するにせよ又は無関係であるにせよ、「及び／又は」フレーズによって特に特定された要素以外にオプションであってもよい。よって、非限定的な例として、「Ａ及び／又はＢ」という参照は、「を有する」ような制限のない用語と共に用いられるとき、一つの実施例では、Ａだけ（オプションで、Ｂ以外の要素を含む）を指すことができ、他の実施例では、Ｂだけ（オプションで、Ａ以外の要素を含む）を指すことができ、更に他の実施例では、Ａ及びＢ（オプションで、他の要素を含む）を指すことができる等である。
【０１９８】
本願明細書及び請求項において使用されるように、「又は」は、上記「及び／又は」と同じ意味を持つと理解されるべきである。例えば、リストに項目を分けるとき、「又は」又は「及び／又は」は、含むものとして、すなわち、少なくとも１つを含むが、多くの要素若しくは要素のリストの１つより多くも含み、オプションで、リストに載ってない追加の項目も含むものとして解釈されるべきである。対照的に、「一つだけ」、「正確に一つ」又は請求項で使用されるときは「から成る」のような明らかに指示された用語だけは、多くの要素又は要素のリストの正確に１つの要素を含むことを指す。概して、本願明細書で用いられる用語「又は」は、「の何れか」「の一つ」「の一つだけ」又は「の正確に一つ」のような排他性の用語が来るとき、排他的な択一物（すなわち「一方又は他方であって両方ではない」）をだけ示すものとして解釈される。請求項において使用されるとき、「基本的にから成る」は、特許法の分野において用いられるような通常の意味を有する。
【０１９９】
明細書及び請求項で使用されているように、一つ以上の要素のリストに関して「少なくとも一つの」というフレーズは、要素のリストのうちの任意の一つ以上の要素から選択された少なくとも一つの要素を意味し、要素のリストの範囲内で特にリストされた各要素の少なくとも一つを必ずしも含む必要もなく、要素のリスト内の任意の要素の組み合わせを除外するわけでもないことは理解されるべきである。この定義はまた、特に特定された要素に関係があるかないかにかかわらず、「少なくとも一つの」フレーズが参照する要素のリストの範囲内で特に特定される要素以外の要素がオプション的にあることを許容する。よって、非限定的な例として、「Ａ及びＢの少なくとも一つ」（又は、同等に、「Ａ又はＢの少なくとも一つ」、又は、同等に「Ａ及び／又はＢの少なくとも一つ」）は、一方の実施例では、Ｂがない（Ｂ以外の要素をオプションで含んで）少なくとも一つのＡ、オプションで一つより多くのＡを含み、他方の実施例では、Ａがない（Ａ以外の要素をオプションで含んで）少なくとも一つのＢ、オプションで一つより多くのＢを含み、更に他の実施例では、少なくとも一つのＡ、オプションで一つより多くのＡ、少なくとも一つのＢ、オプションで一つより多くのＢ（オプションで他の要素を含んで）を含む等である。
【０２００】
明らかに反対の示されない限り、複数のステップ又は行為を含むとここにクレームされた何れの方法においても、当該方法のステップ又は行為の順番は、当該方法のステップ又は行為が列挙される順番に必ずしも限られているわけではないことも理解されるべきである。
【０２０１】
明細書だけでなく、請求項において、「有する」、「含む」、「坦持する」、「持つ」、「含有する」、「かかわる」、「保持する」、「構成される」などのような全ての移行型フレーズは、制限がない、すなわち、含まれるがこれに限定されるものではないことを意味することが理解されるべきである。特許審査プロシージャセクション２１１１．０３の米国特許庁マニュアルに述べているように、移行フレーズ「からなる」及び「基本的にからなる」だけが、それぞれ限定移行フレーズであるか半限定移行フレーズである。
【０２０２】
2012514829.tif 000004
2012514829.tif 000005
2012514829.tif 000006
2012514829.tif 000007
【図１】
2012514829.tif 000008
【図２】
2012514829.tif 000009
【図３】
2012514829.tif 000010
【図４】
2012514829.tif 000011
【図５】
2012514829.tif 000012
【図６】
2012514829.tif 000013
【図７】
2012514829.tif 000014
【図８Ａ】
2012514829.tif 000015
【図８Ｂ】
2012514829.tif 000016
【図９Ａ】
2012514829.tif 000017
【図９Ｂ】
2012514829.tif 000018
【図９Ｃ】
2012514829.tif 000019
【図９Ｄ】
2012514829.tif 000020
【図９Ｅ】
2012514829.tif 000021
【図１０】
2012514829.tif 000022
【図１１】
2012514829.tif 000023
【図１２】
2012514829.tif 000024
【図１３】
2012514829.tif 000025
【国際調査報告】
2012514829.tif 000026
2012514829.tif 000027